(57)【特許請求の範囲】
【請求項１】
ソースセルラーネットワークを制御する第１のセルラーマネージャであって、
ターゲットセルラーネットワークの第２のセルラーマネージャの１つ以上のワイヤレスローカルエリアネットワーク（ＷＬＡＮ）オフロードパラメータを含むメッセージを受信する第１のインターフェースと、
前記第２のセルラーマネージャの前記ＷＬＡＮオフロードパラメータに基づいて、第１のオフローディングメカニズムと第２のオフローディングメカニズムとから、選択されたオフローディングメカニズムを選択するオフロードコントローラであって、前記第１のオフローディングメカニズムはユーザ機器（ＵＥ）をＷＬＡＮにオフロードし、前記第２のオフローディングメカニズムは前記ＵＥを前記ターゲットセルラーネットワークにオフロードする、オフロードコントローラと、
前記ＵＥに、前記選択されたオフローディングメカニズムに従って、オフローディングメッセージを送る第２のインターフェースと、
を含む第１のセルラーマネージャ。
【請求項２】
前記オフロードコントローラは、前記第２のセルラーマネージャの負荷と前記第２のセルラーマネージャの前記ＷＬＡＮオフロードパラメータとに基づいて、前記第１のオフローディングメカニズムと前記第２のオフローディングメカニズムとの間で選択する、請求項１に記載の第１のセルラーマネージャ。
【請求項３】
前記選択されたオフローディングメカニズムが前記第１のオフローディングメカニズムを含むとき、前記オフローディングメッセージは無線アクセスネットワーク（ＲＡＮ）支援ＷＬＡＮインターワーキング情報を含む、請求項１に記載の第１のセルラーマネージャ。
【請求項４】
前記選択されたオフローディングメカニズムが前記第２のオフローディングメカニズムを含むとき、前記オフローディングメッセージは、前記ＵＥの前記ターゲットセルラーネットワークへのオフローディングをトリガするオフローディングトリガを含む、請求項１に記載の第１のセルラーマネージャ。
【請求項５】
前記第２のセルラーマネージャの前記ＷＬＡＮオフロードパラメータは、セルラーパラメータ閾値、ＷＬＡＮパラメータ閾値、及びオフロードプリファレンスインジケータ（ＯＰＩ）を含む群から選択される少なくとも１つのパラメータを含む、請求項１に記載の第１のセルラーマネージャ。
【請求項６】
当該第１のセルラーマネージャは発展型ノードＢ（ｅＮＢ）であり、前記第２のインターフェースは、前記オフローディングメッセージを前記ＵＥに送信するセルラー送受信器を含む、請求項１乃至５のうちいずれか１項に記載の第１のセルラーマネージャ。
【請求項７】
前記第２のセルラーマネージャは別のｅＮＢを含み、前記第１のインターフェースはＸ２アプリケーションプロトコル（Ｘ２ＡＰ）を含む、請求項６に記載の第１のセルラーマネージャ。
【請求項８】
前記第２のセルラーマネージャは無線ネットワークコントローラ（ＲＮＣ）を含み、前記第１のインターフェースは、モビリティマネジメントエンティティ（ＭＭＥ）を介して前記ＲＮＣと通信するＳ１アプリケーションプロトコル（Ｓ１ＡＰ）を含む、請求項６に記載の第１のセルラーマネージャ。
【請求項９】
当該第１のセルラーマネージャは無線ネットワークコントローラ（ＲＮＣ）であり、前記第２のセルラーマネージャは発展型ノードＢ（ｅＮＢ）を含み、前記第１のインターフェースは、コアネットワークを介して前記ｅＮＢと通信するコアネットワークインターフェースを含み、前記第２のインターフェースは、ノードＢを介して前記ＵＥと通信するノードＢインターフェースを含む、請求項１乃至５のうちいずれか１項に記載の第１のセルラーマネージャ。
【請求項１０】
メモリ及びプロセッサを含む、請求項１乃至５のうちいずれか１項に記載の第１のセルラーマネージャ。
【請求項１１】
請求項１乃至１０何れか一項に記載の第１のセルラーマネージャを含むシステム。
【請求項１２】
ソースセルラーネットワークを制御する発展型ノードＢ（ｅＮＢ）において実行される方法であって、
ターゲットセルラーネットワークの第２のセルラーマネージャの１つ以上のワイヤレスローカルエリアネットワーク（ＷＬＡＮ）オフロードパラメータを含む少なくとも１つのメッセージを受信することと、
前記第２のセルラーマネージャの前記ＷＬＡＮオフロードパラメータに基づいて、第１のオフローディングメカニズムと第２のオフローディングメカニズムとから、選択されたオフローディングメカニズムを選択することであって、前記第１のオフローディングメカニズムはユーザ機器（ＵＥ）をＷＬＡＮにオフロードし、前記第２のオフローディングメカニズムは前記ＵＥを前記ターゲットセルラーネットワークにオフロードする、選択することと、
前記選択されたオフローディングメカニズムに基づいてオフローディングメッセージを生成することと、
前記オフローディングメッセージを前記ＵＥに送信することと、
を含む方法。
【請求項１３】
前記オフローディングメッセージは、前記１つ以上のＷＬＡＮオフロードパラメータに基づく、無線アクセスネットワーク（ＲＡＮ）支援ＷＬＡＮインターワーキング情報を含む、請求項１２に記載の方法。
【請求項１４】
前記オフローディングメッセージは、１つ以上のユーザ機器（ＵＥ）の前記ターゲットセルラーネットワークへのオフローディングをトリガするオフローディングトリガを含む、請求項１２又は１３に記載の方法。
【請求項１５】
前記ＷＬＡＮオフロードパラメータは、セルラーパラメータ閾値、ＷＬＡＮパラメータ閾値、及びオフロードプリファレンスインジケータ（ＯＰＩ）を含む群から選択される少なくとも１つのパラメータを含む、請求項１２乃至１４のうちいずれか１項に記載の方法。
【請求項１６】
請求項１２乃至１５の何れか一項に記載の方法をプロセッサに実現させるコンピュータプログラム。
【請求項１７】
請求項１６に記載のコンピュータプログラムを記憶したコンピュータ読取可能記憶媒体。
【発明の詳細な説明】
【技術分野】
【０００１】
相互参照
本出願は、2014年5月8日に申請され“WLAN  interworking  coordination  between  LTE  and  UMTS”と題された米国仮特許出願第61/990,689号の利益及び優先を主張し、該出願の開示全体が本明細書において参照により援用される。
【０００２】
本明細書に説明されるいくつかの実施形態は、一般に、セルラーマネージャ間でワイヤレスローカルエリアネットワーク（ＷＬＡＮ）オフローディング情報を通信することに関する。
【背景技術】
【０００３】
通信システムは、例えば複数の無線アクセステクノロジー（ＲＡＴ）を含む複数のワイヤレス通信テクノロジーを利用するように構成されることができる。
【０００４】
例えば、ユーザ機器（ＵＥ）装置は、セルラー接続、例えばユニバーサルモバイルテレコミュニケーションズシステム（Universal  Mobile  Telecommunications  System）（ＵＭＴＳ）セルラー接続又はロングタームエボリューション（ＬＴＥ）接続と、ワイヤレスローカルエリアネットワーク（ＷＬＡＮ）接続、例えば、ワイヤレスフィデリティ（Wireless-Fidelity）（ＷｉＦｉ）接続とを利用するように構成されることができる。
【０００５】
複数のＲＡＴの効率的なインターワーキング（interworking）、統合、協調、及び／又は管理の必要がある。
【図面の簡単な説明】
【０００６】
例示の簡潔さ及び明りょうさのため、図内に示される要素は必ずしも縮尺どおりに描かれてはいない。例えば、要素のいくつかの大きさが、提示の明りょうさのため、他の要素に対して誇張されることがある。さらに、参照番号が図間で繰り返されて、対応する又は類似の要素を示すことがある。以下に図が列挙される。
【図１】いくつかの例証的実施形態に従う、システムの概略的ブロック図例示である。
【図２】いくつかの例証的実施形態に従う、セルラーマネージャ間でワイヤレスローカルエリアネットワーク（ＷＬＡＮ）オフローディング情報を通信する方法の概略的フローチャート例示である。
【図３】いくつかの例証的実施形態に従う、製品の概略的例示である。
【発明を実施するための形態】
【０００７】
下記の詳細な説明において、複数の特定の詳細が、いくつかの実施形態の詳細な理解を提供するように順に明記される。しかしながら、いくつかの実施形態はこうした特定の詳細なしに実施され得ることが当業者により理解されるであろう。他の例において、周知の方法、手順、コンポーネント、ユニット、及び／又は回路は、本議論を分かりにくくしないように、詳細には説明されていない。
【０００８】
本明細書において、例えば、「処理する」、「計算する」、「算出する」、「決定する」、「確立する」、「分析する」、「確認する」、又は同様のものなどの用語を利用する議論は、コンピュータのレジスタ及び／又はメモリ内の物理的（例えば、電子的）量として表現されたデータを、動作及び／又は処理を実行するための命令を記憶することができるコンピュータのレジスタ及び／又はメモリ又は他の情報記憶媒体内の物理量として同様に表現された他のデータへと操作し及び／又は変換するコンピュータ、コンピューティングプラットフォーム、コンピューティングシステム、又は他の電子コンピューティング装置の動作及び／又は処理を参照することがある。
【０００９】
用語「複数性（plurality）」及び「複数（a  plurality）」は、本明細書において使用されるとき、例えば、「多数（multiple）」又は２つ以上を含む。例えば、「複数のアイテム」は２つ以上のアイテムを含む。
【００１０】
「１つの実施形態」、「一実施形態」、「例証的実施形態」、「様々な実施形態」等に対する参照は、そのように説明される実施形態が具体的な特徴、構造、又は特性を含むことがあり、しかしあらゆる実施形態が必ずしも上記具体的な特徴、構造、又は特性を含みはしないことを示す。さらに、フレーズ「１つの実施形態において」の繰り返しの使用は必ずしも同じ実施形態を参照せず、しかしながら、そういうこともあり得る。
【００１１】
本明細書において使用されるとき、別段指定されない限り、共通のオブジェクトを説明するための順序的形容詞「第１の」、「第２の」、「第３の」等の使用は、同様のオブジェクトの異なるインスタンスが参照されていることをもっぱら示し、そのように説明されるオブジェクトが時間的に、空間的に、ランク付けにおいて、又は任意の他の仕方においてのいずれかで所与のシーケンスにおけるものでなければならないことを暗示するものではない。
【００１２】
いくつかの実施形態は、様々な装置及びシステム、例えば、ユーザ機器（ＵＥ）、モバイル装置（ＭＤ）、ワイヤレス局（ＳＴＡ）、パーソナルコンピュータ（ＰＣ）、デスクトップコンピュータ、モバイルコンピュータ、ラップトップコンピュータ、ノートブックコンピュータ、タブレットコンピュータ、スマートフォン装置、サーバコンピュータ、ハンドヘルドコンピュータ、ハンドヘルド装置、パーソナルデジタルアシスタント（ＰＤＡ）装置、ハンドヘルドＰＤＡ装置、オンボード装置、オフボード装置、ハイブリッド装置、車載（vehicular）装置、非車載装置、モバイル又はポータブル装置、消費者装置、非モバイル又は非ポータブル装置、ワイヤレス通信局、ワイヤレス通信装置、ワイヤレスアクセスポイント（ＡＰ）、ワイヤレスノード、基地局（ＢＳ）、有線又はワイヤレスルータ、有線又はワイヤレスモデム、ビデオ装置、オーディオ装置、オーディオビデオ（Ａ／Ｖ）装置、有線又はワイヤレスネットワーク、ワイヤレスエリアネットワーク、セルラーネットワーク、セルラーノード、セルラー装置、ワイヤレスローカルエリアネットワーク（ＷＬＡＮ）、多入力多出力（Multiple  Input  Multiple  Output）（ＭＩＭＯ）送受信器（transceiver）又は装置、単入力多出力（Single  Input  Multiple  Output）（ＳＩＭＯ）送受信器又は装置、多入力単出力（Multiple  Input  Single  Output）（ＭＩＳＯ）送受信器又は装置、１つ以上の内部アンテナ及び／又は外部アンテナを有する装置、デジタルビデオブロードキャスト（ＤＶＢ）装置又はシステム、マルチ標準無線装置又はシステム、有線又はワイヤレスハンドヘルド装置、例えば、スマートフォン、ワイヤレスアプリケーションプロトコル（ＷＡＰ）装置、ベンディングマシン、販売端末などと関連して使用されることができる。
【００１３】
いくつかの実施形態は、既存の第３世代パートナーシッププロジェクト（３ＧＰＰ）及び／又はロングタームエボリューション（ＬＴＥ）仕様（３ＧＰＰ  ＴＳ  ３６．３００（３ＧＰＰ  ＴＳ  ３６．３００  Ｖ１１．７．０（２０１３年９月）；技術仕様；第３世代パートナーシッププロジェクト；技術仕様グループ無線アクセスネットワーク；発展型ユニバーサル地上波無線アクセス（Evolved  Universal  Terrestrial  Radio  Access）（Ｅ−ＵＴＲＡ）及び発展型ユニバーサル地上波無線アクセスネットワーク（Ｅ−ＵＴＲＡＮ）；全体説明；ステージ２（リリース１１））；３ＧＰＰ  ＴＳ３６．３３１（３ＧＰＰ  ＴＳ３６．３３１  Ｖ１１．５．０（２０１３年９月）；技術仕様；第３世代パートナーシッププロジェクト；技術仕様グループ無線アクセスネットワーク；発展型ユニバーサル地上波無線アクセス（Ｅ−ＵＴＲＡ）；無線リソース制御（ＲＲＣ）；プロトコル仕様（リリース１１））；３ＧＰＰ  ＴＳ３６．３０４（３ＧＰＰ  ＴＳ３６．３０４  Ｖ１２．０．０（２０１４年３月）；技術仕様；第３世代パートナーシッププロジェクト；技術仕様グループ無線アクセスネットワーク；発展型ユニバーサル地上波無線アクセス（Ｅ−ＵＴＲＡ）；アイドルモードにおけるユーザ機器（ＵＥ）手順、（リリース１２））；３ＧＰＰ  ＴＳ２５．３００（３ＧＰＰ  ＴＳ２５．３００  Ｖ０．１．０（２０１４年２月）；技術仕様；第３世代パートナーシッププロジェクト；技術仕様グループ無線アクセスネットワーク；ＵＴＲＡＮ：一般的説明；ステージ２（リリース１２））；３ＧＰＰ  ＴＳ２５．３０４（３ＧＰＰ  ＴＳ２５．３０４  Ｖ１２．１．０（２０１４年３月）；技術仕様；第３世代パートナーシッププロジェクト；技術仕様グループ無線アクセスネットワーク；アイドルモードにおけるユーザ機器（ＵＥ）手順及び接続されたモードにおけるセル再選択の手順（リリース１２））；３ＧＰＰ  ＴＳ２５．３３１（３ＧＰＰ  ＴＳ２５．３３１  Ｖ１２．１．０（２０１４年３月）；技術仕様；第３世代パートナーシッププロジェクト；技術仕様グループ無線アクセスネットワーク；無線リソース制御（ＲＲＣ）；プロトコル仕様（リリース１２））；３ＧＰＰ  ＴＳ３６．４１３（３ＧＰＰ  ＴＳ３６．４１３  Ｖ１２．１．０（２０１４年３月）；技術仕様；第３世代パートナーシッププロジェクト；技術仕様グループ無線アクセスネットワーク；発展型ユニバーサル地上波無線アクセスネットワーク（Ｅ−ＵＴＲＡＮ）；Ｓ１アプリケーションプロトコル（Ｓ１ＡＰ）；（リリース１２））；及び／又は３ＧＰＰ  ＴＳ３６．４２３（３ＧＰＰ  ＴＳ３６．４２３  Ｖ１２．１．０（２０１４年３月）；技術仕様；第３世代パートナーシッププロジェクト；技術仕様グループ無線アクセスネットワーク；発展型ユニバーサル地上波無線アクセスネットワーク（Ｅ−ＵＴＲＡＮ）；Ｘ２アプリケーションプロトコル（Ｘ２ＡＰ）；（リリース１２））を含む）及び／又は将来のバージョン及び／又はこれらの派生物に従って動作する装置及び／又はネットワーク、既存のワイヤレスギガビットアライアンス（Wireless-Gigabit-Alliance）（ＷＧＡ）仕様（ワイヤレスギガビットアライアンスＩｎｃ  ＷｉＧｉｇ  ＭＡＣ及びＰＨＹ��様バージョン１．１、２０１１年４月、最終仕様）及び／又は将来のバージョン及び／又はこれらの派生物に従って動作する装置及び／又はネットワーク、既存のＩＥＥＥ８０２．１１標準（ＩＥＥＥ８０２．１１−２０１２、情報テクノロジーのためのＩＥＥＥ標準  --  システム間の電気通信及び情報交換  ローカル及びメトロポリタンエリアネットワーク  --  固有要件パート１１：ワイヤレスＬＡＮ媒体アクセス制御（ＭＡＣ）及び物理レイヤ（ＰＨＹ）仕様、２０１２年３月２９日）及び／又は将来のバージョン及び／又はこれらの派生物に従って動作する装置及び／又はネットワーク、既存のＩＥＥＥ８０２．１６標準（ＩＥＥＥ標準８０２．１６  ２００９エディション、固定ブロードバンドワイヤレスアクセスシステムのためのエアインターフェース；ＩＥＥＥ標準８０２．１６ｅ、２００５エディション、認可された帯域における組み合わせられた固定及びモバイル動作のための物理及び媒体アクセス制御レイヤ；ＩＥＥＥ標準８０２．１６−２００９に対する改正、タスクグループｍにより開発）及び／又は将来のバージョン及び／又はこれらの派生物に従って動作する装置及び／又はネットワーク、既存のＷｉｒｅｌｅｓｓＨＤＴＭ（登録商標）仕様及び／又は将来のバージョン及び／又はこれらの派生物に従って動作する装置及び／又はネットワーク、上記ネットワークの一部であるユニット及び／又は装置などと関連して使用されることができる。
【００１４】
いくつかの実施形態は、１つ以上のタイプのワイヤレス通信信号及び／又はシステム、例えば、無線周波数（ＲＦ）、周波数分割多重（ＦＤＭ）、直交ＦＤＭ（ＯＦＤＭ）、多入力多出力（ＭＩＭＯ）、マルチユーザＭＩＭＯ（ＭＵ−ＭＩＭＯ）、シングルキャリア周波数分割多元接続（ＳＣ−ＦＤＭＡ）、時分割多重（ＴＤＭ）、時分割多元接続（ＴＤＭＡ）、拡張（Extended）ＴＤＭＡ（Ｅ−ＴＤＭＡ）、汎用パケット無線サービス（General  Packet  Radio  Service）（ＧＰＲＳ）、拡張ＧＰＲＳ、符号分割多元接続（ＣＤＭＡ）、ワイドバンドＣＤＭＡ（ＷＣＤＭＡ(登録商標)）、ＣＤＭＡ２０００、シングルキャリアＣＤＭＡ、マルチキャリアＣＤＭＡ、マルチキャリア変調（ＭＤＭ）、ディスクリートマルチトーン（Discrete  Multi-Tone）（ＤＭＴ）、Ｂｌｕｅｔｏｏｔｈ（登録商標）、グローバルポジショニングシステム（ＧＰＳ）、
ワイヤレスフィデリティ（Ｗｉ−Ｆｉ）、ＷｉＭａｘ（登録商標）、ＺｉｇＢｅｅＴＭ（登録商標）、ウルトラワイドバンド（ＵＷＢ）、グローバルシステムフォーモバイルコミュニケーション（Global  System  for  Mobile  communication）（ＧＳＭ（登録商標））、第２世代（２Ｇ）、２．５Ｇ、３Ｇ、３．５Ｇ、４Ｇ、第５世代（５Ｇ）モバイルネットワーク、３ＧＰＰ、ロングタームエボリューション（ＬＴＥ）、セルラーシステム、ＬＴＥアドバンスセルラーシステム、高速ダウンリンクパケットアクセス（ＨＳＤＰＡ）、高速アップリンクパケットアクセス（ＨＳＵＰＡ）、高速パケットアクセス（ＨＳＰＡ）、ＨＳＰＡ＋、シングルキャリア無線送信テクノロジー（１ＸＲＴＴ）、エボリューションデータオプティマイズド（ＥＶ−ＤＯ）、エンハンストデータレートフォーＧＳＭエボリューション（Enhanced  Data  rates  for  GSM  Evolution）（ＥＤＧＥ）などと関連して使用されることができる。他の実施形態が、様々な他の装置、システム、及び／又はネットワークにおいて使用されることができる。
【００１５】
用語「ワイヤレス装置」は、本明細書において使用されるとき、例えば、ワイヤレス通信の能力のある装置、ワイヤレス通信の能力のある通信装置、ワイヤレス通信の能力のある通信局、ワイヤレス通信の能力のあるポータブル又は非ポータブル装置などを含む。いくつかの例証的実施形態において、ワイヤレス装置は、コンピュータに統合された周辺装置（ペリフェラル）又はコンピュータに取り付けられたペリフェラルであってもよく、あるいは上記ペリフェラルを含んでもよい。いくつかの例証的実施形態において、用語「ワイヤレス装置」は、ワイヤレスサービスを場合により含んでもよい。
【００１６】
用語「通信する」は、通信信号に関して本明細書において使用されるとき、通信信号を送信すること及び／又は通信信号を受信することを含む。例えば、通信信号を通信する能力のある通信ユニット又はインターフェースが、通信信号を少なくとも１つの他の通信ユニットに送信する送信器、及び／又は、通信信号を少なくとも１つの他の通信ユニットから受信する通信受信器を含むことができる。動詞「通信する」は、送信のアクション又は受信のアクションを参照するように使用されることがある。１つの例において、フレーズ「信号を通信する」は、第１の装置により信号を送信するアクションを参照することがあり、第２の装置により信号を受信するアクションを必ずしも含まなくてもよい。別の例において、フレーズ「信号を通信する」は、第１の装置により信号を受信する動作を参照することがあり、第２の装置により信号を送信するアクションを必ずしも含まなくてもよい。
【００１７】
いくつかの例証的実施形態が、本明細書においてＬＴＥネットワークに関して説明される。しかしながら、他の実施形態が、任意の他の適切なセルラーネットワーク又はシステム、例えば、ユニバーサルモバイルテレコミュニケーションズシステム（ＵＭＴＳ）セルラーシステム、ＧＳＭネットワーク、３Ｇセルラーネットワーク、４Ｇセルラーネットワーク、４．５Ｇネットワーク、５Ｇセルラーネットワーク、６Ｇセルラーネットワーク、ＷｉＭａｘセルラーネットワークなどにおいて実装されてもよい。
【００１８】
いくつかの例証的実施形態が、本明細書においてＷＬＡＮシステムに関して説明される。しかしながら、他の実施形態が、任意の他の適切な非セルラーネットワークにおいて実装されてもよい。
【００１９】
いくつかの例証的実施形態が、本明細書においてアクセスポイント（ＡＰ）に関して説明される。しかしながら、他の実施形態が、任意の他のＷＬＡＮアクセス装置、例えば、アクセスコントローラ（ＡＣ）において実装されてもよい。
【００２０】
いくつかの例証的実施形態が、ヘテロジニアスネットワーク（Heterogeneous  Network）（ヘットネット（HetNet））と関連して使用されることができ、ヘットネットは、セルラー、ミリ波（mmWave）及び／又は同様のものを含むテクノロジー、周波数、セルサイズ、及び／又はネットワークアーキテクチャの混合の展開（deployment）を利用することができる。１つの例において、ヘットネットは、大きいマクロセルからスモールセル、例えばピコセル及びフェムトセルに及ぶ、異なるサイズのセルのレイヤを有する無線アクセスネットワークを含むことができる。
【００２１】
他の実施形態が、任意の他の適切なワイヤレス通信ネットワークと関連して使用されることができる。
【００２２】
用語「アンテナ」は、本明細書において使用されるとき、１つ以上のアンテナ素子（antenna  elements）、コンポーネント、ユニット、アセンブリ、及び／又はアレイの、任意の適切な構成、構造、及び／又は配置を含むことができる。いくつかの実施形態において、アンテナは、別個の送信及び受信アンテナ素子を用いて、送信及び受信機能性を実装することができる。いくつかの実施形態において、アンテナは、共通の及び／又は統合された送信／受信素子を用いて、送信及び受信機能性を実装することができる。アンテナには、例えば、フェーズドアレイアンテナ、単一素子アンテナ（single  element  antenna）、ダイポールアンテナ、切り替え型ビームアンテナ（switched  beam  antennas）のセット、及び／又は同様のものを含むことができる。
【００２３】
用語「セル」は、本明細書において使用されるとき、ネットワークリソースの組み合わせ、例えば、ダウンリンクリソースと場合によりアップリンクリソースとを含むことができる。リソースは、例えばセルラーノード（さらに「基地局」ともいわれる）などによって、制御され、かつ／あるいは割り振られることができる。ダウンリンクリソースのキャリア周波数とアップリンクリソースのキャリア周波数との間のリンク付けは、ダウンリンクリソース上で送信されるシステム情報内に示されることができる。
【００２４】
フレーズ「アクセスポイント」（ＡＰ）は、本明細書において使用されるとき、局（station）（ＳＴＡ）を含み、及び、関連付けられた局のためにワイヤレス媒体（ＷＭ）を介して配信（distribution）サービスに対するアクセスを提供する、エンティティを含むことができる。
【００２５】
用語「局」（ＳＴＡ）は、本明細書において使用されるとき、上記ＷＭに対して媒体アクセス制御（ＭＡＣ）及び物理レイヤ（ＰＨＹ）インターフェースについての単一にアドレス可能な（addressable）インスタンスである、任意の論理エンティティを含むことができる。
【００２６】
次に、図１に対して参照がなされる。図１は、いくつかの例証的実施形態に従う、システム１００の一ブロック図を概略的に例示している。
【００２７】
図１に示されるとおり、いくつかの例証的実施形態において、システム１００は、１つ以上のワイヤレス媒体を介してコンテンツ、データ、情報、及び／又は信号を通信する能力のある１つ以上のワイヤレス通信装置を含むことができる。
【００２８】
いくつかの例証的実施形態において、システム１００の要素は、例えば、無線チャネル、セルラーチャネル、ＲＦチャネル、ＷＬＡＮチャネル、ワイヤレスフィデリティ（ＷｉＦｉ）チャネル、ＩＲチャネルなどを通じて通信するように構成されることができる。システム１００の１つ以上の要素が、場合により、任意の適切な有線通信リンクを通じて通信することができてもよい。
【００２９】
いくつかの例証的実施形態において、システム１００は、マルチＲＡＴ（multi-RAT）ネットワークを含むことができ、マルチＲＡＴネットワークは複数のＲＡＴを利用して、例えば、以下に説明されるとおり、少なくとも１つのユーザ機器（ＵＥ）１１８と通信することができる。
【００３０】
いくつかの例証的実施形態において、ＵＥ１１８は、例えば、モバイルコンピュータ、ＭＤ、ＳＴＡ、ラップトップコンピュータ、ノートブックコンピュータ、タブレットコンピュータ、ＵｌｔｒａｂｏｏｋＴＭ（登録商標）コンピュータ、モバイルインターネット装置、ハンドヘルドコンピュータ、ハンドヘルド装置、記憶装置、ＰＤＡ装置、ハンドヘルドＰＤＡ装置、オンボード装置、オフボード装置、ハイブリッド装置（例えば、セルラーフォン機能性とＰＤＡ装置機能性との組み合わせ）、消費者装置、車載（vehicular）装置、非車載装置、モバイル又はポータブル装置、モバイルフォン、セルラー電話、ＰＣＳ装置、モバイル又はポータブルＧＰＳ装置、ＤＶＢ装置、比較的小さいコンピューティング装置、非デスクトップコンピュータ、「キャリースモールリブラージ」（Carry  Small  Live  Large）（ＣＳＬＬ）装置、ウルトラモバイル装置（ＵＭＤ）、ウルトラモバイルＰＣ（ＵＭＰＣ）、モバイルインターネット装置（ＭＩＤ）、「おりがみ」装置又はコンピューティングデバイス、ビデオ装置、オーディオ装置、Ａ／Ｖ装置、ゲーミング装置、メディアプレーヤ、スマートフォンなどを含むことができる。
【００３１】
いくつかの例証的実施形態において、システム１００は、複数のＲＡＴネットワーク内の通信を制御し及び／又は管理する複数のＲＡＴ通信マネージャを含むことができる。例えば、システム１００は、例えば以下に説明されるとおり、１つ以上のタイプのセルラーネットワークの１つ以上のセルラーマネージャ、１つ以上のＷＬＡＮの１つ以上のＷＬＡＮマネージャ、及び／又は任意の他のＲＡＴネットワーク内の通信を制御し及び／又は管理する能力のある任意の他の要素を含むことができる。
【００３２】
いくつかの例証的実施形態において、システム１００は、例えば以下に説明されるとおり、１つ以上のセルラーネットワークの通信を管理する１つ以上のセルラーマネージャを含むことができる。
【００３３】
いくつかの例証的実施形態において、１つ以上のセルラーマネージャは、１つ以上の発展型ノードＢ（Evolved  Node  B）（ｅＮＢ）、例えば、ｅＮＢ１０６及び／又はｅＮＢ１０８を含むことができる。例えば、ｅＮＢ１０６及び／又はｅＮＢ１０８は、無線リソース管理（ＲＲＭ）、無線ベアラ制御、無線アドミッション制御（radio  admission  control）（アクセス制御）、接続モビリティ管理、ＵＥとｅＮＢ無線との間のリソーススケジューリング、例えば、アップリンクとダウンリンクとの双方におけるＵＥへのリソースの動的割り振り、ヘッダ圧縮、ユーザデータストリームのリンク暗号化、宛先、例えば別のｅＮＢ又はコアネットワーク（ＣＮ）１５０に向かうユーザデータのパケットルーティング、ページングメッセージ、例えば到来する（incoming）呼び出し及び／又は接続要求を、スケジュールし及び／又は送信すること、ブロードキャスト情報協調、測定報告、及び／又は任意の他の動作を実行するように構成されることができる。
【００３４】
いくつかの例証的実施形態において、１つ以上のセルラーマネージャは、ＵＭＴＳのセルラーマネージャを含むことができる。上記例に従い、システム１００は、１つ以上の無線ネットワークコントローラ（ＲＮＣ）１１０を含むことができ、ＲＮＣ１１０は、複数のノードＢ装置１１２を制御することができる。例えば、ノードＢ装置１１２は、例えばワイドバンド符号分割多元接続（ＷＣＤＭＡ(登録商標)）及び／又は時分割同期符号分割多元接続（ＴＤ−ＳＣＤＭＡ）エアインターフェーステクノロジーを用いて、例えばＵＥ１１８を含むＵＥと、直接通信するように構成されることができる。ＲＮＣ１１０は、例えば、ノードＢ装置１１２を制御するように構成されたＵＭＴＳ  ＲＮＣを含むことができる。
【００３５】
いくつかの例証的実施形態において、１つ以上のセルラーマネージャは、任意の他のセルラーマネージャ、例えば、１つ以上のセルラー基地局（ＢＳ）、及び／又は任意の他のセルラーノード、ネットワークコントローラ、基地局、又は任意の他のノード若しくはネットワーク装置を含むことができ、上記セルラー基地局は、例えば、ＧＳＭネットワークのものである。
【００３６】
いくつかの例証的実施形態において、システム１００は、例えば以下に説明されるとおり、１つ以上のＷＬＡＮの通信を管理する１つ以上のＷＬＡＮマネージャを含むことができる。
【００３７】
いくつかの例証的実施形態において、システム１００は、非セルラーネットワーク、例えばＷＬＡＮ、例えば基本サービスセット（Basic  Service  Set）（ＢＳＳ）に対するアクセスを管理する少なくとも１つのＷＬＡＮアクセス装置１１６を含むことができる。
【００３８】
いくつかの例証的実施形態において、ＷＬＡＮアクセス装置１１６は、ＷＬＡＮ  ＡＰを含むことができる。他の実施形態において、ＷＬＡＮアクセス装置１１６は、任意の他の機能性を含んでもよく、かつ／あるいは１つ以上の有線ネットワークに対するＷＬＡＮ無線アクセスを制御し及び／又は管理する能力のある任意の他の装置の機能性を実行してもよい。１つの例において、ＷＬＡＮアクセス装置１１６は、アクセスコントローラ（ＡＣ）の機能性を実行することができる。上記例に従い、ＷＬＡＮアクセス装置１１６は、複数のＡＰ装置、例えば、ライトウェイト（Lightweight）アクセスポイント（ＬＡＰ）（図示されていない）を制御することができる。
【００３９】
いくつかの例証的実施形態において、ｅＮＢ１０６及び／又はｅＮＢ１０８は、例えば以下に説明されるとおり、システム１００の１つ以上のネットワーク要素と通信するネットワークインターフェース１３２を含むことができる。
【００４０】
いくつかの例証的実施形態において、インターフェース１３２は、例えば以下に説明されるとおり、ｅＮＢ１０６とｅＮＢ１０８との間でメッセージを通信するＸ２アプリケーションプロトコル（Ｘ２ＡＰ）インターフェース１３６を含むことができる。
【００４１】
いくつかの例証的実施形態において、インターフェース１３２は、ｅＮＢ１０６とＣＮ１５０の１つ以上の要素、例えばモビリティマネジメントエンティティ（Mobility  Management  Entity）（ＭＭＥ）１５２との間のメッセージを通信するＳ１アプリケーションプロトコル（Ｓ１ＡＰ）インターフェース１３４を含むことができる。
【００４２】
いくつかの例証的実施形態において、ＲＮＣ１１０は、ＣＮ１５０の１つ以上の要素と通信するＣＮインターフェース１６０を含むことができる。例えば、ＣＮインターフェース１６０は、インターフェースユニット回線交換（Ｉｕ−ＣＳ）インターフェース及び／又はインターフェースユニットパケット交換（Ｉｕ−ＰＳ）インターフェースを含んで、ＲＮＣ１１０と１つ以上のパケット交換又は回線交換ＣＮ要素との間でインターフェースをとることができる。
【００４３】
いくつかの例証的実施形態において、ｅＮＢ１０６及び／又はｅＮＢ１０８は、例えば以下に説明されるとおり、ＣＮ１５０を介してＲＮＣ１１０と通信することができる。
【００４４】
いくつかの例証的実施形態において、ｅＮＢ１０６、ｅＮＢ１０８、ＲＮＣ１１０、及び／又はＷＬＡＮアクセス装置１１６は、ＵＥ１１８と直接的又は間接的にユーザプレーントラフィックを通信するインターフェースを含むことができる。
【００４５】
いくつかの例証的実施形態において、ｅＮＢ１０６及び／又はｅＮＢ１０８は、セルラーリンクを介してＵＥ１１８と通信するように構成されたエアインターフェース、例えば、セルラー送受信器（ＴＲｘ）１４４を含むことができる。
【００４６】
いくつかの例証的実施形態において、ＲＮＡ１１０は、ノードＢ１１２を介してＵＥ１１８とユーザプレーントラフィックを通信することができる。こうした実施形態に従い、ＲＮＣ１１０は、ＲＮＣ１１０とノードＢ１１２との間で通信するノードＢインターフェース１７０を含むことができる。例えば、ノードＢインターフェース１７０は、インターフェースユニットｂ（Ｉｕｂ）を含むことができる。
【００４７】
いくつかの例証的実施形態において、ＷＬＡＮアクセス装置１１６は、ＵＥ１１８と直接的又は間接的にトラフィックを通信するインターフェースを含むことができる。いくつかの例証的実施形態において、ＷＬＡＮアクセス装置１１６は、例えば、ＷＬＡＮアクセス装置１１６がＡＰの機能性を実行する場合、ＵＥ１１８と直接通信することができる。こうした実施形態に従い、ＷＬＡＮアクセス装置１１６は、例えば、ＷＬＡＮアクセス装置１１６がＡＰの機能性を実行する場合、例えばＷＬＡＮアクセス装置１１６とＵＥ１１８との間のＷＬＡＮリンクを介してＵＥ１１８と直接的にトラフィックを通信するＷＬＡＮ無線（WLAN  radio）（図示されていない）を含むことができる。いくつかの例証的実施形態において、ＷＬＡＮアクセス装置１１６は、例えば、ＷＬＡＮアクセス装置１１６がＡＣの機能性を実行する場合、ＵＥ１１８と間接的に通信することができる。こうした実施形態に従い、ＷＬＡＮアクセス装置１１６は、例えばＬＡＰを介してＵＥ１１８とトラフィックを通信するＡＰインターフェース（図示されていない）を含むことができる。
【００４８】
いくつかの例証的実施形態において、ｅＮＢ１０６、ｅＮＢ１０８、及び／又はＲＮＣ１１０は、例えば、プロセッサ、メモリユニット、及び／又は任意の他の要素、モジュール若しくはユニットをさらに含むことができる。例えば、ｅＮＢ１０６及び／又はｅＮＢ１０８は、メモリ１４０及び／又はプロセッサ１３８を含むことができ、かつ／あるいは、ＲＮＣ１１０は、メモリ１６６及び／又はプロセッサ１６４を含むことができる。いくつかの例証的実施形態において、ｅＮＢ１０６、ｅＮＢ１０８、及び／又はＲＮＣ１１０は、他の適切なハードウェアコンポーネント及び／又はソフトウェアコンポーネントを場合により含むことができる。いくつかの例証的実施形態において、ｅＮＢ１０６、ｅＮＢ１０８、及び／又はＲＮＣ１１０のうち１つ以上についてのコンポーネントのうちいくつか又はすべてが、共通のハウジング又はパッケージング内に封入されてもよく、１つ以上の有線又はワイヤレスリンクを用いて相互接続され、あるいは動作的に関連付けられてもよい。他の実施形態において、ｅＮＢ１０６、ｅＮＢ１０８、及び／又はＲＮＣ１１０のうち１つ以上についてのコンポーネントが、複数の又は別個の装置間にわたり分散されてもよい。
【００４９】
プロセッサ１３８及び／又は１６４は、例えば、中央処理ユニット（ＣＰＵ）、デジタルシグナルプロセッサ（ＤＳＰ）、１つ以上のプロセッサコア、シングルコアプロセッサ、デュアルコアプロセッサ、マルチプルコアプロセッサ、マイクロプロセッサ、ホストプロセッサ、コントローラ、複数のプロセッサ若しくはコントローラ、チップ、マイクロチップ、１つ以上の電気回路、回路、ロジックユニット、集積回路（ＩＣ）、特定用途向けＩＣ（ＡＳＩＣ）、又は任意の他の適切な多目的若しくは特定目的のプロセッサ若しくはコントローラを含むことができる。例えば、プロセッサ１３８は、例えばｅＮＢ１０６のオペレーティングシステム及び／又は１つ以上の適切なアプリケーションの命令を実行することができ、プロセッサ１６４は、例えばＲＮＣ１１０のオペレーティングシステム（ＯＳ）及び／又は１つ以上の適切なアプリケーションの命令を実行することができる。
【００５０】
メモリユニット１４０及び／又は１６６には、例えば、ランダムアクセスメモリ（ＲＡＭ）、読取専用メモリ（ＲＯＭ）、ダイナミックＲＡＭ（ＤＲＡＭ）、同期ＤＲＡＭ（ＳＤ−ＲＡＭ）、フラッシュメモリ、揮発メモリ、不揮発メモリ、キャッシュメモリ、バッファ、短期メモリユニット、長期メモリユニット、又は他の適切なメモリユニットが含まれる。例えば、メモリユニット１４０は、ｅＮＢ１０６により処理されるデータを記憶することができ、かつ／あるいは、メモリユニット１６６は、ＲＮＣ１１０により処理されるデータを記憶することができる。
【００５１】
いくつかの例証的実施形態において、ｅＮＢ１０６、ｅＮＢ１０８、及び／又はＲＮＣ１１０は、例えば以下に説明されるとおり、１つ以上のオフローディング（offloading）機能性に対応する１つ以上の機能性、通信、及び／又は相互作用を制御する少なくとも１つのオフロードコントローラ（offload  controller）を含むことができる。例えば、ｅＮＢ１０６及び／又はｅＮＢ１０８が、ｅＮＢ１０６及び／又は１０８の１つ以上のオフローディング機能性を制御するオフロードコントローラ１３０を含むことができ、ＲＮＣ１１０が、例えば以下に説明されるとおり、ＲＮＣ１１０のオフローディング機能性を制御するオフロードコントローラ１６２を含むことができる。
【００５２】
いくつかの例証的実施形態において、オフロードコントローラ１３０及び／又はオフロードコントローラ１６２は、適切なコントローラ回路、例えば、プロセッサ回路、メモリ回路、及び／又は任意の他の回路を含んでもよく、あるいは該コントローラ回路を用いて実装されてもよく、上記コントローラ回路は、オフロードコントローラ１３０及び／又はオフロードコントローラ１６２の機能性の少なくとも一部を実行するように構成されることができる。追加的に又は代替的に、例えば下記に説明されるとおり、オフロードコントローラ１３０及び／又はオフロードコントローラ１６２の１つ以上の機能性がロジックにより実装されてもよく、上記ロジックはマシン及び／又は１つ以上のプロセッサにより実行されることができる。
【００５３】
いくつかの例証的実施形態において、ｅＮＢ１０６及び／又はｅＮＢ１０８は、ｅＮＢ１０６及び／又はｅＮＢ１０８により通信される１つ以上のメッセージを生成し、処理し、及び／又は該メッセージにアクセスするように構成されたメッセージプロセッサ１４８を含むことができる。
【００５４】
１つの例において、例えば以下に説明されるとおり、メッセージプロセッサ１４８は、ｅＮＢ１０６又はｅＮＢ１０８により送信される１つ以上のメッセージを生成するように構成されることができ、かつ／あるいは、メッセージプロセッサ１４８は、ｅＮＢ１０６又はｅＮＢ１０８により受信される１つ以上のメッセージにアクセスし及び／又は該メッセージを処理するように構成されることができる。
【００５５】
いくつかの例証的実施形態において、ＲＮＣ１１０は、ＲＮＣ１１０により通信される１つ以上のメッセージを生成し、処理し、及び／又は該メッセージにアクセスするように構成されたメッセージプロセッサ１７２を含むことができる。
【００５６】
１つの例において、例えば以下に説明されるとおり、メッセージプロセッサ１７２は、ＲＮＣ１１０により送信される１つ以上のメッセージを生成するように構成されることができ、かつ／あるいは、メッセージプロセッサ１７２は、ＲＮＣ１１０により受信される１つ以上のメッセージにアクセスし及び／又は該メッセージを処理するように構成されることができる。
【００５７】
いくつかの例証的実施形態において、メッセージプロセッサ１４８及び／又は１７２は、メッセージプロセッサ１４８及び／又は１７２の機能性を実行するように構成された回路、例えば、プロセッサ回路、メモリ回路、媒体アクセス制御（ＭＡＣ）回路、物理レイヤ（ＰＨＹ）回路、及び／又は任意の他の回路を含むことができる。追加的に又は代替的に、例えば以下に説明されるとおり、近接推定器（proximity  estimators）メッセージプロセッサ１４８及び／又は１７２の１つ以上の機能性がロジックにより実装されてもよく、上記ロジックは、マシン及び／又は１つ以上のプロセッサにより実行されることができる。
【００５８】
いくつかの例証的実施形態において、メッセージプロセッサ１４８の機能性の少なくとも一部がインターフェース１３２及び／又はセルラーＴＲＸ１４４の一部として実装されることができ、かつ／あるいは、メッセージプロセッサ１７２の機能性の少なくとも一部がインターフェース１６０及び／又は１７０の一部として実装されることができる。
【００５９】
いくつかの例証的実施形態において、メッセージプロセッサ１４８の機能性の少なくとも一部がオフロードコントローラ１３０の一部として実装されることができ、かつ／あるいは、メッセージプロセッサ１７２の機能性の少なくとも一部がオフロードコントローラ１６２の一部として実装されることができる。
【００６０】
他の実施形態において、メッセージプロセッサ１４８の機能性がｅＮＢ１０６の任意の他の要素の一部として実装されてもよく、かつ／あるいは、メッセージプロセッサ１７２の機能性がＲＮＣ１１０の任意の他の要素の一部として実装されてもよい。
【００６１】
いくつかの例証的実施形態において、セルラーＴＲｘ１４４が、ワイヤレス通信信号、ＲＦ信号、フレーム、ブロック、送信ストリーム、パケット、メッセージ、データアイテム、及び／又はデータを送り及び／又は受けることが可能な回路及び／又はロジックを含む１つ以上のワイヤレス送信器、受信器、及び／又は送受信器を含むことができる。
【００６２】
いくつかの例証的実施形態において、セルラーＴＲｘ１４４は、多入力多出力（ＭＩＭＯ）送信器受信器システム（図示されていない）を含むことができ、該システムは、所望される場合、アンテナビームフォーミング方法を実行する能力があってもよい。他の実施形態において、セルラーＴＲｘ１４４は、任意の他の送信器及び／又は受信器を含むことができる。
【００６３】
いくつかの例証的実施形態において、セルラーＴＲｘ１４４は、例えばｅＮＢ１０６とＵＥ１１８との間におけるダウンリンクチャネルを通じたダウンリンク信号と、例えばＵＥ１１８とｅＮＢ１０６との間におけるアップリンクチャネルを通じたアップリンク信号とを通信するように構成されたＬＴＥ、ＷＣＤＭＡ(登録商標)、及び／又はＴＤ−ＳＣＤＭＡ変調器及び／又は復調器（図示されていない）を含むことができる。他の実施形態において、セルラーＴＲｘ１４４は、任意の他の変調器及び／又は復調器を含んでもよい。
【００６４】
いくつかの例証的実施形態において、ＵＥ１１８は、ＷＬＡＮアクセス装置１１６とのＷＬＡＮリンクを確立することができる。例えば、ＷＬＡＮリンクは、アップリンク及び／又はダウンリンクを含むことができる。
【００６５】
いくつかの例証的実施形態において、ｅＮＢ１０６、ｅＮＢ１０８、ＵＥ１１８、ＷＬＡＮアクセス装置１１６、及び／又はノードＢ１１２は１つ以上のアンテナを含むことができ、あるいは１つ以上のアンテナに関連付けられることができる。１つの例において、セルラーＴＲｘ１４４が、少なくとも２つのアンテナ１４６又は任意の他の数のアンテナ、例えば、１つのアンテナ又は３つ以上のアンテナに関連付けられることができ、ＵＥ１１８が、少なくとも２つのアンテナ又は任意の他の数のアンテナ、例えば、１つのアンテナ又は３つ以上のアンテナに関連付けられることができ、ＷＬＡＮアクセス装置１１６が、１つ以上のアンテナに関連付けられることができ、かつ／あるいは、ノードＢ１１２が、１つ以上のアンテナに関連付けられることができる。
【００６６】
いくつかの例証的実施形態において、アンテナ１４６は、ワイヤレス通信信号、ブロック、フレーム、送信ストリーム、パケット、メッセージ、及び／又はデータを送信し及び／又は受信することに適した任意タイプのアンテナを含むことができる。例えば、アンテナ１４６は、１つ以上のアンテナ素子、コンポーネント、ユニット、アセンブリ、及び／又はアレイの、任意の適切な構成、構造、及び／又は配置を含むことができる。例えば、アンテナ１４６は、フェーズドアレイアンテナ、ダイポールアンテナ、単一素子アンテナ、切り替え型ビームアンテナのセット、及び／又は同様のものを含むことができる。
【００６７】
いくつかの実施形態において、アンテナ１４６は、別個の送信及び受信アンテナ素子を用いて送信及び受信機能性を実装することができる。いくつかの実施形態において、アンテナ１４６は、共通の及び／又は統合された送信／受信素子を用いて送信及び受信機能性を実装することができる。
【００６８】
いくつかの例証的実施形態において、ＵＥ１１８は、ｅＮＢ１０６、ｅＮＢ１０８、及び／又はノードＢ１１２と通信するためにセルラー接続、例えば、ＬＴＥセルラー接続、ＵＭＴＳセルラー接続、又は任意の他のセルラー接続を、及び、ＷＬＡＮアクセス装置１１６と通信するためにＷＬＡＮ接続、例えば、ワイヤレスフィデリティ（ＷｉＦｉ）接続、ミリ波接続、又は任意の他のＷＬＡＮ接続を利用するように構成されることができる。
【００６９】
いくつかの例証的実施形態において、システム１００の１つ以上の要素がヘットネットの機能性を実行することができ、ヘットネットは、例えばセルラー、ＷＬＡＮ及び／又は同様のものを含むテクノロジー、周波数、セルサイズ、及び／又はネットワークアーキテクチャの混合の展開を利用することができる。
【００７０】
例えば、ヘットネットは、第１のワイヤレス通信環境、例えばセルラーネットワークを通してサービスを提供し、別の通信環境、例えばＷＬＡＮに切り換えるときに上記サービスを維持するように構成されることができる。ヘットネットアーキテクチャは、複数のワイヤレス通信環境、例えば、ＷＬＡＮ環境とセルラー環境との混合物を利用することを可能にして、例えば、最適に顧客需要の急な変化に応答し、電力消費を低減させ、コストを低減させ、効率を増加させ、かつ／あるいは任意の他の利益を達成することができる。
【００７１】
１つの例において、システム１００は、ネットワーク容量を増大させるようにマクロセルラー展開の上にオーバーレイされた（overlaid）、例えばピコ、フェムト、リレー局、ＷｉＦｉＡＰなどのスモールセルの層を含む、マルチ層（Multi-tier）マルチＲＡＴヘットネットアーキテクチャを利用することができる。
【００７２】
別の例において、システム１００は、複数の無線、例えばＷｉＦｉ及び３ＧＰＰエアインターフェースなどを単一のインフラストラクチャ装置に統合するマルチＲＡＴスモールセルを利用してもよい。
【００７３】
他の実施形態において、システム１００は、任意の他のアーキテクチャ及び／又は展開を実装してもよい。
【００７４】
いくつかの例証的実施形態において、ｅＮＢ１０６、ｅＮＢ１０８、及び／又はＲＮＣ１１０は、例えば以下に説明されるとおり、例えば複数のＲＡＴネットワーク、例えばＬＴＥ、ＵＭＴＳ、ＧＳＭ、ＣＤＭＡ、及び／又はＷＬＡＮの間で、マルチＲＡＴジョイント協調（joint  coordination）を可能にするように構成されることができる。
【００７５】
いくつかの例証的実施形態において、ｅＮＢ１０６、ｅＮＢ１０８、及び／又はＲＮＣ１１０は、マルチＲＡＴ協調スキームを実装することができ、例えば、上記スキームは、例えば以下に説明されるとおり、ＲＡＮ２に定義されるＲｅｌ−１２  ＷＬＡＮ／３ＧＰＰ無線インターワーキングソリューションの上に構築するように構成されることができる。
【００７６】
いくつかの例証的実施形態において、ｅＮＢ１０６、ｅＮＢ１０８、及び／又はＲＮＣ１１０は、少なくとも２つのネットワーク、例えば、セルラーネットワークとＷＬＡＮとに関して、マルチＲＡＴ協調を実行するように構成されることができる。
【００７７】
いくつかの例証的実施形態において、ｅＮＢ１０６、ｅＮＢ１０８、及び／又はＲＮＣ１１０は、少なくとも３つのネットワークに関して、例えば同時に、マルチＲＡＴ協調を実行するように構成されることができる。
【００７８】
いくつかの例証的実施形態において、上記少なくとも３つのネットワークは、例えば、２つのセルラーネットワークと、ＷＬＡＮ、例えばＷＬＡＮアクセス装置１１６により制御されるＷＬＡＮとを含むことができる。
【００７９】
いくつかの例証的実施形態において、上記２つのセルラーネットワークは、２つのＬＴＥネットワーク、例えば、第１のｅＮＢ、例えばｅＮＢ１０６により制御される第１のネットワークと、第２のｅＮＢ、例えばｅＮＢ１０８により制御される第２のネットワークとを含むことができる。
【００８０】
いくつかの例証的実施形態において、上記２つのセルラーネットワークは、ＬＴＥネットワーク、例えば、ｅＮＢ、例えばｅＮＢ１０６により制御されるネットワークと、ＵＭＴＳネットワーク、例えば、ＲＮＣ、例えばＲＮＣ１１０により制御されるネットワークとを含むことができる。
【００８１】
いくつかの例証的実施形態において、ＵＥ１１８は、複数のネットワークのカバレッジ内にあり得る。１つの例において、ＵＥ１１８は、ＷＬＡＮアクセス装置１１６のカバレッジ範囲１１４と、ｅＮＢ１０６のカバレッジ範囲１０２と、少なくとも１つの他のセルラーマネージャ、例えばｅＮＢ１０８及び／又はＲＮＣ１１０のカバレッジ範囲１０４との範囲内であり得る。
【００８２】
いくつかの例証的実施形態において、ＵＥ１１８は、例えば以下に説明されるとおり、ＷＬＡＮオフローディングスキームに従って動作する能力があり得る。
【００８３】
いくつかの例証的実施形態において、ＵＥ１１８は、複数のｅＮＢ、例えばｅＮＢ１０６とｅＮＢ１０８とにより制御されるセル間で、及び／又は、ｅＮＢ、例えばｅＮＢ１０６又はｅＮＢ１０８により制御されるセルと、ＲＮＣ、例えばＲＮＣ１１０により制御されるセルとの間で、ハンドオーバを実行する能力があり得る。
【００８４】
いくつかの例証的実施形態において、ｅＮＢ１０６、ｅＮＢ１０８、及び／又はＲＮＣ１１０は、例えば以下に説明されるとおり、１つ以上のオフローディング及び／又はロードバランシング（load  balancing）動作を実行するように構成されることができる。
【００８５】
いくつかの例証的実施形態において、ｅＮＢ１０６、ｅＮＢ１０８、及び／又はＲＮＣ１１０は、第１のオフローディングメカニズム（「ＷＬＡＮオフロード」）を実装するように構成されることができ、このメカニズムは、１つ以上のＵＥ、例えばＵＥ１１８が、ＷＬＡＮに対して、例えばＷＬＡＮアクセス装置１１６に対してオフロードすることを可能にするように構成される。ＷＬＡＮオフロードは、例えば、ＵＥのトラフィック、例えば１つ以上のトラフィックストリームの、セルラーネットワークからＷＬＡＮへの、及び／又はＷＬＡＮからセルラーネットワークへの、トラフィックステアリング（traffic  steering）及び／又はトラフィックルーティングを含むことができる。
【００８６】
いくつかの例証的実施形態において、ｅＮＢ１０６、ｅＮＢ１０８、及び／又はＲＮＣ１１０は、第２のオフローディングメカニズム（「セルラーオフロード」又は「ハンドオーバ」）を実装するように構成されることができ、このメカニズムは、１つ以上のＵＥを１つのセルラーネットワークから、例えば、同じセルラーテクノロジーの２つのセルラーマネージャ間、例えばｅＮＢ１０６とｅＮＢ１０８との間で、又は、異なるセルラーテクノロジーのセルラーマネージャ間、例えばｅＮＢ１０６により制御されるセルとＲＮＣ１１０により制御されるセルとの間で（さらに「ｅＮＢからＲＮＣへのオフロード」ともいわれる）、ハンドオーバするように構成される。セルラーオフロードは、例えば、ＵＥのトラフィック、例えば１つ以上のトラフィックストリームの、１つのセルラーネットワークから別のセルラーネットワークへの、トラフィックステアリング及び／又はトラフィックルーティングを含むことができる。
【００８７】
いくつかの例証的実施形態において、ＷＬＡＮオフローディングメカニズムは、ＵＥ中心（UE-centric）（さらに「ＵＥにより制御される（UE  controlled）」ともいわれる）アクセスネットワーク選択及び／又はトラフィックステアリングスキームを含むことができ、これにおいて、ＵＥ１１８は、ＵＥ１１８により利用されることになるアクセスネットワークを選択し、かつ／あるいはそのアクセスネットワークに向かう（steer）ようにいずれかのトラフィックストリームを選択することができる。
【００８８】
いくつかの例証的実施形態において、ＵＥ１１８は、支援情報、例えば、無線アクセスネットワーク（ＲＡＮ）により支援されるＷＬＡＮインターワーキング情報（Radio  Access  Network  (RAN)  assisted  WLAN  interworking  information）を受信するように構成されることができ、上記情報には、システム１００の１つ以上の要素からの１つ以上のパラメータ（さらに「ＲＡＮにより支援されるＷＬＡＮインターワーキングパラメータ」ともいわれる）が含まれる。
【００８９】
いくつかの例証的実施形態において、ＵＥ１１８は、上記ＲＡＮ支援ＷＬＡＮインターワーキングパラメータを１つ以上のセルラーマネージャから受信することができる。例えば、セルラーマネージャが、例えば以下に説明されるとおり、該セルラーマネージャにより制御されるセルラーネットワークに対応するＲＡＮ支援ＷＬＡＮインターワーキングパラメータを決定するように構成されることができる。
【００９０】
いくつかの例証的実施形態において、ｅＮＢ１０６のオフロードコントローラ１３０は、例えば以下に説明されるとおり、ｅＮＢ１０６により制御されるセルラーネットワークに対応するＲＡＮ支援ＷＬＡＮインターワーキングパラメータを決定するように構成されることができる。
【００９１】
いくつかの例証的実施形態において、ｅＮＢ１０６は、ＵＥ１１８に、ｅＮＢ１０６により制御されるセルラーネットワークに対応するＲＡＮ支援ＷＬＡＮインターワーキングパラメータを送ることができる。例えば、ｅＮＢ１０６のメッセージプロセッサ１４８が、ｅＮＢ１０６により制御されるセルラーネットワークに対応するＲＡＮ支援ＷＬＡＮインターワーキングパラメータを含む１つ以上のメッセージ、例えば、無線リソース制御（ＲＲＣ）ブロードキャスト及び／又は専用メッセージを生成することができ、セルラーＴＲｘ１４４が、１つ以上のＵＥにより受信されることになるメッセージを、例えば、ＵＥ１１８に対して専用にされたＲＲＣメッセージを送信することによって、及び／又は、カバレッジエリア１０２内のＵＥにより受信されることになる１つ以上のメッセージをブロードキャストすることによって、送信することができる。
【００９２】
いくつかの例証的実施形態において、ｅＮＢ１０８は、ｅＮＢ１０８により制御されるセルラーネットワークに対応するＲＡＮ支援ＷＬＡＮインターワーキングパラメータを決定するように構成されることができ、１つ以上のＵＥにより受信されることになる、ｅＮＢ１０８により制御されるセルラーネットワークに対応するＲＡＮ支援ＷＬＡＮインターワーキングパラメータを含む１つ以上のメッセージ、例えば、ＲＲＣブロードキャスト及び／又は専用メッセージを、例えばＵＥ１１８に対して専用にされたＲＲＣメッセージを送信することによって、及び／又は、カバレッジエリア１０４内のＵＥにより受信されることになる１つ以上のメッセージをブロードキャストすることによって、送信することができる。
【００９３】
いくつかの例証的実施形態において、ＲＮＣ１１０のオフロードコントローラ１６２は、例えば以下に説明されるとおり、ＲＮＣ１１０により制御されるセルラーネットワークに対応するＲＡＮ支援ＷＬＡＮインターワーキングパラメータを決定するように構成されることができる。
【００９４】
いくつかの例証的実施形態において、ＲＮＣ１１０は、ＵＥ１１８に、ＲＮＣ１１０により制御されるセルラーネットワークに対応するＲＡＮ支援ＷＬＡＮインターワーキングパラメータを送ることができる。例えば、ＲＮＣ１１０のメッセージプロセッサ１７０が、ＲＮＣ１１０により制御されるセルラーネットワークに対応するＲＡＮ支援ＷＬＡＮインターワーキングパラメータを含む１つ以上のメッセージを生成することができ、インターフェース１７０が、例えばノードＢ１１２を介して、上記メッセージをＵＥ１１８に送ることができる。
【００９５】
いくつかの例証的実施形態において、ＲＡＮ支援ＷＬＡＮインターワーキングパラメータは、例えば、少なくとも１つのセルラーパラメータ閾値、少なくとも１つのＷＬＡＮパラメータ閾値、少なくとも１つのオフロードプリファレンスインジケータ（offload  preference  indicator）（ＯＰＩ）、及び／又は任意の他のパラメータ、インジケータ及び／又は閾値を含むことができる。
【００９６】
１つの例において、少なくとも１つのセルラーパラメータ閾値は、例えば、参照信号受信電力（Reference  Signal  Received  Power）（ＲＳＲＰ）閾値を含むことができる。
【００９７】
別の例において、少なくとも１つのセルラーパラメータ閾値は、例えば、受信信号符号電力（Received  Signal  Code  Power）（ＲＳＣＰ）閾値、例えば、例えば周波数分割多重のためのＵＭＴＳ共通パイロットチャネル（ＣＰＩＣＨ）ＲＳＣＰ閾値、又は、例えば時分割多重（ＴＤＤ）のためのＵＭＴＳプライマリ共通制御物理チャネル（ＰＣＣＰＣＨ）ＲＳＣＰ閾値を含んでもよい。
【００９８】
別の例において、少なくとも１つのセルラーパラメータ閾値は、例えば、参照信号受信品質（Reference  Signal  Received  Quality）（ＲＳＲＱ）閾値を含んでもよい。
【００９９】
別の例において、少なくとも１つのセルラーパラメータ閾値は、例えば、例えばＦＤＤのためのＵＭＴＳ  ＣＰＩＣＨ  チップ当たりエネルギー（Energy  Per  Chip）（Ｅｃ）対雑音電力（Noise  power）（Ｎｏ）（Ｅｃ／Ｎｏ）閾値を含んでもよい。
【０１００】
別の例において、少なくとも１つのセルラーパラメータ閾値は、任意の他のセルラーパラメータ閾値を含んでもよい。
【０１０１】
１つの例において、少なくとも１つのＷＬＡＮパラメータ閾値は、例えば、ＷＬＡＮチャネル利用閾値を含むことができ、このＷＬＡＮ利用チャネル閾値は、例えば、ＷＬＡＮアクセス装置１１６により受信されるとおりの、例えば、ＢＳＳロード情報要素（Information  Element）（ＩＥ）内のＷＬＡＮチャネル利用値に対応する。
【０１０２】
別の例において、少なくとも１つのＷＬＡＮパラメータ閾値は、例えば、利用可能なＷＬＡＮバックホール容量閾値、例えば、利用可能なＷＬＡＮ  ＤＬ及びＵＬバックホールデータレート閾値を含んでもよい。
【０１０３】
別の例において、少なくとも１つのＷＬＡＮパラメータ閾値は、例えば、ＷＬＡＮ信号強度閾値、例えば、受信信号強度インジケータ（Received  Signal  Strength  Indicator）（ＲＳＳＩ）閾値、ビーコン受信信号強度インジケータ（Beacon  Received  Signal  Strength  Indicator）（ビーコンＲＳＳＩ）閾値、受信信号対雑音インジケータ（Received  Signal  to  Noise  Indicator）（ＲＳＮＩ）閾値、受信チャネル電力インジケータ（Received  Channel  Power  Indicator）（ＲＣＰＩ）閾値、及び／又は任意の他のＷＬＡＮ信号強度閾値を含んでもよい。
【０１０４】
別の例において、少なくとも１つのＷＬＡＮパラメータ閾値は、任意の他のＷＬＡＮパラメータ閾値を含んでもよい。
【０１０５】
いくつかの例証的実施形態において、ＵＥ１１８は、ＵＥ１１８により利用されることになるアクセスネットワークを、例えばＲＡＮ支援ＷＬＡＮインターワーキングパラメータに基づいて、選択するように構成されることができる。例えば、ＵＥ１１８は、ＵＥ１１８により利用されるアクセスネットワークを、ＲＡＮ支援ＷＬＡＮインターワーキングパラメータと例えば１つ以上のネットワークに関した１つ以上の測定値とに適用される１つ以上のルールに基づいて、選択するように構成されることができる。
【０１０６】
いくつかの例証的実施形態において、ＵＥ１１８は、第１のセルラーＲＡＴ（「ソースＲＡＴ」）マネージャに接続されることができる。
【０１０７】
１つの例において、ソースＲＡＴは、ｅＮＢ１０６により制御されるネットワークを含むことができる。別の例において、ソースＲＡＴは、ｅＮＢ１０８により制御されるネットワークを含んでもよい。別の例において、ソースＲＡＴは、ＲＮＣ１１０により制御されるネットワークを含んでもよい。
【０１０８】
いくつかの例証的実施形態において、ソースＲＡＴマネージャは、例えば以下に説明されるとおり、例えば、ソースＲＡＴが増加された負荷（ロード）を有するとき、例えば、ソースＲＡＴが過負荷をかけられているとき、ソースＲＡＴが過負荷状況に近づいているとき、ソースＲＡＴの負荷が負荷閾値に近づくとき、及び／又は任意の他の基準に基づいて、１つ以上のオフローディング及び／又はロードバランシング動作を実行するように構成されることができる。
【０１０９】
いくつかの例証的実施形態において、ソースＲＡＴのセルラーマネージャは、例えば以下に説明されるとおり、ＷＬＡＮオフローディングメカニズムとハンドオーバメカニズムとの間で選択するように構成されることができる。
【０１１０】
いくつかの例証的実施形態において、ＷＬＡＮオフローディングメカニズムが、ＲＡＴ選択及び／又はトラフィックステアリング判断を行う能力をＵＥ１１８に提供するが、ソースＲＡＴのセルラーマネージャは、例えばＵＥ１１８にＲＡＮ支援ＷＬＡＮインターワーキングパラメータを提供することによって、ＲＡＴ選択及び／又はトラフィックステアリング判断について影響を与え、ガイドし、かつ／あるいは制御することができ、上記インターワーキングパラメータは、例えば、ソースＲＡＴの負荷に基づいて、及び／又はＵＥカテゴリに基づいて構成されることができる。
【０１１１】
１つの例において、ｅＮＢ１０６のオフロードコントローラ１３０は、ＷＬＡＮに向かうべきＵＥの数を増加させるように選択することができる。上記例に従い、ｅＮＢ１０６のオフロードコントローラ１３０は、ＵＥ１１８に対して提供されるＲＡＮ支援ＷＬＡＮインターワーキングパラメータをより「積極的（aggressive）」であるように構成して、例えば、ＵＥ１１８がＷＬＡＮに対してオフロードすることを選択することになる確率を増加させることができる。
【０１１２】
いくつかの例証的な実施形態において、ソースＲＡＴのセルラーマネージャは、例えばソースＲＡＴのネットワーク負荷が増加するとき、例えばロードバランシング動作を実行するように選択することによって、ソースＲＡＴの負荷を管理することができ、上記ロードバランシング動作は、例えば、ソースＲＡＴの負荷におけるさらなる増加を減少させ及び／又は回避するように構成される。
【０１１３】
いくつかの例証的実施形態において、ソースＲＡＴのセルラーマネージャは、例えばより「積極的な」パラメータであるように、１つ以上のＵＥの別のセルラーＲＡＴへのハンドオーバを実行すること又はソースＲＡＴのＲＡＮ支援ＷＬＡＮインターワーキングパラメータを調整することの間で選択して、１つ以上のＵＥにＷＬＡＮに対してオフロードさせることができる。
【０１１４】
いくつかの例証的実施形態において、ソースＲＡＴのセルラーマネージャは、例えば、ソースＲＡＴのセルラーマネージャにより選択されたオフローディングメカニズム（「選択されたオフローディングメカニズム」）に従って、ソースＲＡＴのカバレッジエリア内の少なくとも１つのＵＥに、少なくとも１つのオフローディングメッセージを送ることができる。
【０１１５】
いくつかの例証的実施形態において、オフローディングメッセージは、例えば、選択されたオフローディングメカニズムが第１のオフローディングメカニズム、例えばＷＬＡＮオフローディングメカニズムを含むとき、ＲＡＮ支援ＷＬＡＮインターワーキング情報を含むことができる。例えば以下に説明されるとおり、例えば、ｅＮＢ１０６のオフロードコントローラ１３０は、ＲＡＮ支援ＷＬＡＮインターワーキング情報を決定することができ、セルラーＴＲｘ１４４は、ＲＡＮ支援ＷＬＡＮインターワーキング情報を含むメッセージを送信することができる。
【０１１６】
いくつかの例証的実施形態において、オフローディングメッセージは、例えば、選択されたオフローディングメカニズムが第２のオフローディングメカニズム、例えばハンドオーバメカニズムを含むとき、ＵＥの別のセルラーネットワークへのオフローディングをトリガするためのオフローディングトリガを含むことができる。例えば以下に説明されるとおり、例えば、ｅＮＢ１０６のオフロードコントローラ１３０は、ｅＮＢ１０８又はＲＮＣ１１０により制御されるセルにＵＥ１１８をハンドオーバすることを選択することができ、セルラーＴＲｘ１４４は、例えばｅＮＢ１０８又はＲＮＣ１１０により制御されるセルへの、ＵＥ１１８のオフローディングをトリガするオフローディングトリガを含むメッセージを送信することができる。
【０１１７】
いくつかの例証的実施形態において、ソースＲＡＴのセルラーマネージャは、潜在的セルラーネットワーク（「潜在的ターゲットＲＡＴ」）に対応するいくらかの情報を有することができ、上記潜在的セルラーネットワーク（「潜在的ターゲットＲＡＴ」）は、１つ以上のＵＥのハンドオーバに対して考慮され得る。
【０１１８】
いくつかの例証的実施形態において、ソースＲＡＴのセルラーマネージャは、潜在的ターゲットＲＡＴの負荷に対応する負荷情報、例えば、潜在的ターゲットＲＡＴの負荷が低いか、中くらいか、又は高いかの指標を受信することができる。
【０１１９】
いくつかの例証的実施形態において、潜在的ターゲットＲＡＴの負荷に対応する負荷情報は、ＷＬＡＮオフローディングメカニズム又はハンドオーバメカニズムを使用するかどうかに関してソースＲＡＴにおいて効率的な、最適な、及び／又は好適な判断を行うのに十分でない可能性がある。
【０１２０】
例えば、潜在的ターゲットＲＡＴの負荷に対応する負荷情報が、ターゲットＲＡＴ内の負荷が高くない、例えば負荷が中くらいであると示す場合、例えば、潜在的ターゲットＲＡＴはハンドオーバのための良い候補であるように理論上は見えることがある。
【０１２１】
しかしながら、いくつかのシナリオにおいて、例えば、潜在的ターゲットＲＡＴの負荷に対応する負荷情報が、潜在的ターゲットＲＡＴ内の負荷が高くないと示す場合でさえ、潜在的ターゲットＲＡＴはハンドオーバのための良い候補でないことがある。
【０１２２】
１つの例において、例えば、潜在的ターゲットＲＡＴがいくつかのＵＥをＷＬＡＮに対してすでにオフロードしている場合、潜在的ターゲットＲＡＴ内の負荷は高くないことがある。
【０１２３】
こうした場合、ソースＲＡＴが、該ソースＲＡＴの負荷と潜在的ターゲットＲＡＴの示された負荷とに関する情報だけ考慮に入れる場合、ソースＲＡＴは、ソースＲＡＴのロードバランシングのために潜在的ターゲットＲＡＴに対するＵＥハンドオーバを開始し得る。しかしながら、ターゲットＲＡＴは、すでにＵＥをＷＬＡＮに対してオフロードしている可能性があるので、ターゲットＲＡＴは、ターゲットＲＡＴ上の負荷増加を防止するために、ソースＲＡＴからオフロードされた同じＵＥのうち１つ以上をＷＬＡＮに対して結局オフロードする可能性がある。
【０１２４】
いくつかの例証的実施形態において、ソースＲＡＴのセルラーマネージャは、例えばハンドオーバオフローディングメカニズムがあまり実効的でない可能性がある状況において、ＵＥをＷＬＡＮに対してオフロードするＷＬＡＮオフローディングメカニズムを選択するように構成されることができる。
【０１２５】
いくつかの例証的実施形態において、ソースＲＡＴのセルラーマネージャは、例えば、ソースＲＡＴのセルラーマネージャが少なくとも１つの近隣セル、例えば１つ以上のＵＥがハンドオーバされることができる潜在的セルラーＲＡＴの負荷に関する情報を提供されない場合、最適な、効率的な、及び／又は好適なロードバランシング判断を行うことができない可能性がある。
【０１２６】
いくつかの例証的実施形態において、ソースＲＡＴのセルラーマネージャは、例えば、ソースＲＡＴのセルラーマネージャがソースＲＡＴのＲＡＮ支援ＷＬＡＮインターワーキングパラメータを、例えば近隣セルにより使用されているＲＡＮ支援ＷＬＡＮインターワーキングパラメータから独立して決定する場合、最適な、効率的な、及び／又は好適なロードバランシング判断を行うことができない可能性がある。
【０１２７】
いくつかの例証的実施形態において、ソースＲＡＴのセルラーマネージャは、例えば、ソースＲＡＴのセルラーマネージャが、例えば少なくとも１つの潜在的セルラーＲＡＴのＲＡＮ支援ＷＬＡＮインターワーキングパラメータを考慮に入れることなく、ソースＲＡＴのＲＡＮ支援ＷＬＡＮインターワーキングパラメータを決定する場合、最適な、効率的な、及び／又は好適なロードバランシング判断を行うことができない可能性がある。
【０１２８】
いくつかの例証的実施形態において、ｅＮＢ１０６、ｅＮＢ１０８、及び／又はＲＮＣ１１０は、例えば以下に説明されるとおり、ｅＮＢ１０６、ｅＮＢ１０８、及びＲＮＣ１１０の第１のセルラーマネージャが、ｅＮＢ１０６、ｅＮＢ１０８、及びＲＮＣ１１０の少なくとも第２のセルラーマネージャの負荷を考慮に入れると同時に、ロードバランシング判断を行うことを可能にするように構成されることができる。
【０１２９】
いくつかの例証的実施形態において、ｅＮＢ１０６、ｅＮＢ１０８、及び／又はＲＮＣ１１０は、例えば以下に説明されるとおり、ｅＮＢ１０６、ｅＮＢ１０８、及び／又はＲＮＣ１１０により使用されるＲＡＮ支援ＷＬＡＮインターワーキングパラメータに対応する１つ以上のＷＬＡＮオフロードパラメータを互いに通信するように構成されることができる。
【０１３０】
いくつかの例証的実施形態において、ｅＮＢ１０６及びｅＮＢ１０８は、例えば以下に説明されるとおり、Ｘ２ＡＰシグナリングメッセージ、例えば強化された（enhanced）Ｘ２ＡＰシグナリングメッセージを使用して、ｅＮＢ１０６及び／又はｅＮＢ１０８により使用されるＲＡＮ支援ＷＬＡＮインターワーキングパラメータに対応する１つ以上のＷＬＡＮオフロードパラメータを互いに通信することができる。
【０１３１】
いくつかの例証的実施形態において、ｅＮＢ１０６は、ｅＮＢ１０８に、ｅＮＢ１０６により使用されるＲＡＮ支援ＷＬＡＮインターワーキングパラメータに対応する１つ以上のＷＬＡＮオフロードパラメータを含むＸ２ＡＰリソースステータスアップデート（RESOURCE  STATUS  UPDATE）メッセージを送ることができ、かつ／あるいは、ｅＮＢ１０８は、ｅＮＢ１０６に、ｅＮＢ１０８により使用されるＲＡＮ支援ＷＬＡＮインターワーキングパラメータに対応する１つ以上のＷＬＡＮオフロードパラメータを含むＸ２ＡＰ  リソースステータスアップデートメッセージを送ることができる。
【０１３２】
１つの例において、リソースステータスアップデートメッセージは、例えば、あるｅＮＢ（「ｅＮＢ２」）によって近隣ｅＮＢ（「ｅＮＢ１」）に対して送られて、例えば、要求された測定の結果を報告することができる。例えば、リソースステータスアップデートメッセージは、下記のフォーマットを含むことができる。
【０１３３】
【表１】
0006370923.tif 000002
いくつかの例証的実施形態において、ｅＮＢ１０６は、ｅＮＢ１０８に、ｅＮＢ１０６により使用されるＲＡＮ支援ＷＬＡＮインターワーキングパラメータに対応する１つ以上のＷＬＡＮオフロードパラメータを含むＸ２ＡＰロード情報（LOAD  INFORMATION）メッセージを送ることができ、かつ／あるいは、ｅＮＢ１０８は、ｅＮＢ１０６に、ｅＮＢ１０８により使用されるＲＡＮ支援ＷＬＡＮインターワーキングパラメータに対応する１つ以上のＷＬＡＮオフロードパラメータを含むＸ２ＡＰロード情報メッセージを送ることができる。
【０１３４】
１つの例において、Ｘ２ＡＰロード情報メッセージは、例えば、あるｅＮＢ（「ｅＮＢ１」）によって１つ以上の近隣ｅＮＢ（「ｅＮＢ２」）に対して送られて、例えば、負荷及び干渉協調情報を伝達することができる。例えば、Ｘ２ＡＰロード情報メッセージは、下記のフォーマットを含むことができる。
【０１３５】
【表２】
0006370923.tif 000003
他の実施形態において、ｅＮＢ１０６及び／又はｅＮＢ１０８は、ＲＡＮ支援ＷＬＡＮインターワーキングパラメータに対応する１つ以上のＷＬＡＮオフロードパラメータを、任意の他の専用にされ又は強化されたＸ２ＡＰメッセージの一部として通信することができる。
【０１３６】
いくつかの例証的実施形態において、ｅＮＢ１０６及び／又はｅＮＢ１０８は、例えば以下に説明されるとおり、Ｓ１ＡＰシグナリングメッセージ、例えば、強化されたＳ１ＡＰシグナリングメッセージを使用して、ｅＮＢ１０６、ｅＮＢ１０８、及び／又はＲＮＣ１１０により使用されるＲＡＮ支援ＷＬＡＮインターワーキングパラメータに対応する１つ以上のＷＬＡＮオフロードパラメータをＲＮＣ１１０と通信することができる。
【０１３７】
いくつかの例証的実施形態において、Ｓ１ＡＰシグナリングメッセージは、ｅＮＢ１０６及び／又はｅＮＢ１０８からＲＮＣ１１０に、及び／又はＲＮＣ１１０からｅＮＢ１０６及び／又はｅＮＢ１０８に、例えば、ＭＭＥ１５２を介して、例えば、ＲＡＮ情報管理（ＲＩＭ）伝達（Transfer）を、自己組織化ネットワーク（Self  Organizing  Networks）（ＳＯＮ）伝達ＲＩＭアプリケーション、任意の他のＲＩＭアプリケーションの一部として用いて、及び／又は任意の他のアプリケーション及び／又はプロトコルを用いて、伝達されることができる。
【０１３８】
いくつかの例証的実施形態において、ソースＲＡＴのセルラーマネージャは、ターゲットＲＡＴのセルラーマネージャに、ソースＲＡＴにより使用されるＲＡＮ支援ＷＬＡＮインターワーキングパラメータに対応する１つ以上のＷＬＡＮオフロードパラメータを送るように構成されることができる。例えば、ソースＲＡＴのセルラーマネージャは、１つ以上のＷＬＡＮオフロードパラメータをターゲットＲＡＴに、例えばＲＲＣコンテナ内で伝達することができ、ＲＲＣコンテナは、ソースセルからターゲットセルに、例えばハンドオーバの間、送られることができる。
【０１３９】
１つの例において、ｅＮＢ１０６は、ｅＮＢ１０８に、ｅＮＢ１０６により使用されるＲＡＮ支援ＷＬＡＮインターワーキングパラメータに対応する１つ以上のＷＬＡＮオフロードパラメータを含むＲＲＣコンテナを、例えば、ＵＥ１１８をｅＮＢ１０６からｅＮＢ１０８にハンドオーバする前に、送信することができる。
【０１４０】
いくつかの例証的実施形態において、ソースＲＡＴのセルラーマネージャは、例えば以下に説明されるとおり、１つ以上の潜在的ターゲットＲＡＴから、潜在的ターゲットＲＡＴにより使用されるＲＡＮ支援ＷＬＡＮインターワーキングパラメータに対応する１つ以上のＷＬＡＮオフロードパラメータを受信することができる。潜在的ターゲットＲＡＴのＷＬＡＮオフロードパラメータは、潜在的ターゲットＲＡＴがＷＬＡＮに対して如何に「積極的に」オフロードするかに対する指標を提供することができる。
【０１４１】
いくつかの例証的実施形態において、ソースＲＡＴのセルラーマネージャは、例えば以下に説明されるとおり、例えばロードバランシング判断を行うとき、例えばターゲットＲＡＴの負荷に対応する他の負荷情報に対して追加で、潜在的ターゲットＲＡＴのＷＬＡＮオフロードパラメータを使用することができる。
【０１４２】
１つの例において、潜在的ターゲットＲＡＴに対応するＷＬＡＮオフロードパラメータが、積極的であり得ると同時に、潜在的ターゲットＲＡＴの負荷情報が、潜在的ターゲットＲＡＴの負荷が中くらいであると示す。上記例に従い、ソースＲＡＴのセルラーコントローラは、潜在的ターゲットＲＡＴがロードバランシングハンドオーバのための良い候補でない可能性があると決定することができる。
【０１４３】
いくつかの例証的実施形態において、ｅＮＢ１０６、ｅＮＢ１０８、及びＲＮＣ１１０の第１のセルラーマネージャは、例えば以下に説明されるとおり、ｅＮＢ１０６、ｅＮＢ１０８、及びＲＮＣ１１０の第２のセルラーマネージャに、第１のセルラーマネージャにより制御される第１のネットワークに対応するＲＡＮ支援ＷＬＡＮインターワーキングパラメータに対応する１つ以上のＷＬＡＮオフロードパラメータを送るように構成されることができる。
【０１４４】
いくつかの例証的実施形態において、１つ以上のＷＬＡＮオフロードパラメータは、第１のネットワークに対応するＲＡＮ支援ＷＬＡＮインターワーキングパラメータのうち１つ以上を含むことができる。
【０１４５】
いくつかの例証的実施形態において、１つ以上のＷＬＡＮオフロードパラメータは、パラメータを含むことができ、該パラメータは、第１のネットワークに対応するＲＡＮ支援ＷＬＡＮインターワーキングパラメータのうち１つ以上に基づいてもよく、第１のネットワークに対応するＲＡＮ支援ＷＬＡＮインターワーキングパラメータのうち１つ以上を示してもよく、第１のネットワークに対応するＲＡＮ支援ＷＬＡＮインターワーキングパラメータのうち１つ以上の大きさ（magnitude）を示してもよく、第１のネットワークに対応するＲＡＮ支援ＷＬＡＮインターワーキングパラメータのうち１つ以上の変化の方向、例えば増加又は減少を示してもよく、かつ／あるいは第１のネットワークに対応するＲＡＮ支援ＷＬＡＮインターワーキングパラメータのうち１つ以上を決定することを可能にしてもよい。
【０１４６】
いくつかの例証的実施形態において、ｅＮＢ１０６のオフロードコントローラ１３０は、ｅＮＢ１０６により制御されるセルラーネットワークに対応する１つ以上のＲＡＮ支援ＷＬＡＮインターワーキングパラメータ（「第１のＲＡＮ支援ＷＬＡＮインターワーキングパラメータ」）を決定することができる。
【０１４７】
いくつかの例証的実施形態において、ｅＮＢ１０６は、第１のＲＡＮ支援ＷＬＡＮインターワーキングパラメータをカバレッジエリア１０２内の１つ以上のＵＥに送ることができる。例えば、セルラーＴＲＸ１４４が、第１のＲＡＮ支援ＷＬＡＮインターワーキングパラメータを含む１つ以上のメッセージをＵＥ１１８に送信することができる。
【０１４８】
いくつかの例証的実施形態において、ｅＮＢ１０６は、第１のＲＡＮ支援ＷＬＡＮインターワーキングパラメータに対応する１つ以上のＷＬＡＮオフロードパラメータを、１つ以上の他のセルラーマネージャに送るように構成されることができる。
【０１４９】
１つの例において、ｅＮＢ１０６は、ＷＬＡＮオフロードパラメータを別のｅＮＢ、例えばｅＮＢ１０８に送って、例えば、ｅＮＢ１０６とｅＮＢ１０８との間のイントラＬＴＥ（intra-LTE）ロードバランシング協調を可能にするように構成されることができる。例えば、ｅＮＢ１０６は、ＷＬＡＮオフロードパラメータを含む１つ以上のＸ２ＡＰメッセージをｅＮＢ１０８に、例えばＸ２ＡＰインターフェース１３６を介して送ることができる。
【０１５０】
別の例において、ｅＮＢ１０６は、ＷＬＡＮオフロードパラメータをＲＮＣ、例えば、ＲＮＣ１１０に送って、例えば、ｅＮＢ１０６とＲＮＣ１１０との間のＬＴＥ−ＵＭＴＳロードバランシング協調を可能にするように構成されてもよい。例えば、Ｓ１ＡＰインターフェース１３４が、１つ以上のＳ１メッセージを用いてＷＬＡＮオフロードパラメータをＲＮＣ１１０に送ることができ、上記Ｓ１メッセージは、ＭＭＥ１５２に送られることができる。
【０１５１】
いくつかの例証的実施形態において、ｅＮＢ１０８は、ｅＮＢ１０８により制御されるセルラーネットワークに対応する１つ以上のＲＡＮ支援ＷＬＡＮインターワーキングパラメータ（「第２のＲＡＮ支援ＷＬＡＮインターワーキングパラメータ」）を決定することができる。
【０１５２】
いくつかの例証的実施形態において、ｅＮＢ１０８は、第２のＲＡＮ支援ＷＬＡＮインターワーキングパラメータをｅＮＢ１０８のカバレッジエリア内の１つ以上のＵＥに送ることができる。
【０１５３】
いくつかの例証的実施形態において、ｅＮＢ１０８は、第２のＲＡＮ支援ＷＬＡＮインターワーキングパラメータに対応する１つ以上のＷＬＡＮオフロードパラメータを、１つ以上の他のセルラーマネージャに、例えば、ｅＮＢ１０６及び／又はＲＮＣ１１０に送るように構成されることができる。
【０１５４】
いくつかの例証的実施形態において、ＲＮＣ１１０のオフロードコントローラ１６２は、ＲＮＣ１１０により制御されるセルラーネットワークに対応する１つ以上のＲＡＮ支援ＷＬＡＮインターワーキングパラメータ（「第３のＲＡＮ支援ＷＬＡＮインターワーキングパラメータ」）を決定することができる。
【０１５５】
いくつかの例証的実施形態において、ＲＮＣ１１０は、第３のＲＡＮ支援ＷＬＡＮインターワーキングパラメータをＲＮＣ１１０のカバレッジエリア内の１つ以上のＵＥに送ることができる。例えば、インターフェース１７０が、第３のＲＡＮ支援ＷＬＡＮインターワーキングパラメータを含む１つ以上のメッセージをＵＥ１１８に、例えばノードＢ１１２を介して送ることができる。
【０１５６】
いくつかの例証的実施形態において、ＲＮＣ１１０は、第３のＲＡＮ支援ＷＬＡＮインターワーキングパラメータに対応する１つ以上のＷＬＡＮオフロードパラメータを、１つ以上の他のセルラーマネージャに送るように構成されることができる。
【０１５７】
１つの例において、ＲＮＣ１１０は、ＷＬＡＮオフロードパラメータを少なくとも１つのｅＮＢ、例えば、ｅＮＢ１０６及び／又はｅＮＢ１０８に送って、例えば、ＲＮＣ１１０とｅＮＢ１０６及び／又はｅＮＢ１０８との間のＬＴＥ−ＵＭＴＳロードバランシング協調を可能にするように構成されることができる。例えば、ＣＮインターフェース１６０が、ＷＬＡＮオフロードパラメータをｅＮＢ１０６及び／又はｅＮＢ１０８に、ＣＮ１５０の１つ以上の要素を介して送ることができる。
【０１５８】
別の例において、ＲＮＣ１１０は、ＷＬＡＮオフロードパラメータを別のＲＮＣ（図示されていない）に送って、例えば、ＲＮＣ１１０と上記別のＲＮＣとの間のイントラＵＭＴＳ（intra-UMTS）ロードバランシング協調を可能にしてもよい。
【０１５９】
いくつかの例証的実施形態において、第２のセルラーマネージャは、第１のセルラーマネージャから受信される１つ以上のＷＬＡＮオフロードパラメータを考慮に入れると同時に、第２のセルラーマネージャにより制御される第２のネットワークに対応するＲＡＮ支援ＷＬＡＮインターワーキングパラメータを決定するように構成されることができる。
【０１６０】
いくつかの例証的実施形態において、ｅＮＢ１０６は、ｅＮＢ１０８から、第２のＲＡＮ支援ＷＬＡＮインターワーキングパラメータに対応する１つ以上のＷＬＡＮオフロードパラメータを受信することができる。例えば、Ｘ２ＡＰインターフェース１３６が、ｅＮＢ１０８から、第２のＲＡＮ支援ＷＬＡＮインターワーキングパラメータに対応するＷＬＡＮオフロードパラメータを含む１つ以上のＸ２ＡＰメッセージを受信することができる。
【０１６１】
いくつかの例証的実施形態において、ｅＮＢ１０６は、ＲＮＣ１１０から、第３のＲＡＮ支援ＷＬＡＮインターワーキングパラメータに対応する１つ以上のＷＬＡＮオフロードパラメータを受信することができる。例えば、Ｓ１ＡＰインターフェース１３４が、ＭＭＥ１５２から、第３のＲＡＮ支援ＷＬＡＮインターワーキングパラメータに対応するＷＬＡＮオフロードパラメータを含む１つ以上のＳ１ＡＰメッセージを受信することができる。
【０１６２】
いくつかの例証的実施形態において、ｅＮＢ１０６のオフロードコントローラ１３０は、例えばｅＮＢ１０６からＵＥ１１８に送られることになる、第１のＲＡＮ支援ＷＬＡＮインターワーキングパラメータを、例えば、ｅＮＢ１０８の第２のＲＡＮ支援ＷＬＡＮインターワーキングパラメータに対応するＷＬＡＮオフロードパラメータに基づいて、及び／又はＲＮＣ１１０の第３のＲＡＮ支援ＷＬＡＮインターワーキングパラメータに対応するＷＬＡＮオフロードパラメータに基づいて、決定することができる。
【０１６３】
いくつかの例証的実施形態において、ｅＮＢ１０８は、ｅＮＢ１０６から、第１のＲＡＮ支援ＷＬＡＮインターワーキングパラメータに対応する１つ以上のＷＬＡＮオフロードパラメータを受信することができる。
【０１６４】
いくつかの例証的実施形態において、ｅＮＢ１０８は、ＲＮＣ１１０から、第３のＲＡＮ支援ＷＬＡＮインターワーキングパラメータに対応する１つ以上のＷＬＡＮオフロードパラメータを受信することができる。
【０１６５】
いくつかの例証的実施形態において、ｅＮＢ１０８は、例えばｅＮＢ１０８からＵＥ１１８に送られることになる、第２のＲＡＮ支援ＷＬＡＮインターワーキングパラメータを、例えば、ｅＮＢ１０６の第１のＲＡＮ支援ＷＬＡＮインターワーキングパラメータに対応するＷＬＡＮオフロードパラメータに基づいて、及び／又はＲＮＣ１１０の第３のＲＡＮ支援ＷＬＡＮインターワーキングパラメータに対応するＷＬＡＮオフロードパラメータに基づいて、決定することができる。
【０１６６】
いくつかの例証的実施形態において、ＲＮＣ１１０は、ｅＮＢ１０６及び／又はｅＮＢ１０８から、第１の及び／又は第２のＲＡＮ支援ＷＬＡＮインターワーキングパラメータに対応する１つ以上のＷＬＡＮオフロードパラメータを受信することができる。例えば、ＣＮインターフェース１６０が、ＣＮ１５０から、第１の及び／又は第２のＲＡＮ支援ＷＬＡＮインターワーキングパラメータに対応するオフロードパラメータを含む１つ以上のメッセージを受信することができる。
【０１６７】
いくつかの例証的実施形態において、ＲＮＣ１１０のオフロードコントローラ１６２は、例えばＲＮＣ１１０からＵＥ１１８に送られることになる、第３のＲＡＮ支援ＷＬＡＮインターワーキングパラメータを、例えば、ｅＮＢ１０６及び／又はｅＮＢ１０８の第１の及び／又は第２のＲＡＮ支援ＷＬＡＮインターワーキングパラメータに対応するＷＬＡＮオフロードパラメータに基づいて、及び／又は別のＲＮＣのＲＡＮ支援ＷＬＡＮインターワーキングパラメータに対応するＷＬＡＮオフロードパラメータに基づいて、決定することができる。
【０１６８】
いくつかの例証的実施形態において、例えば上記で説明されたとおり、第１のＲＡＴ、例えばソースＲＡＴのセルラーマネージャが、第２のＲＡＴ、例えば潜在的ターゲットＲＡＴから、第２のＲＡＴのＲＡＮ支援ＷＬＡＮインターワーキングパラメータに対応するＷＬＡＮオフロードパラメータを受信することを可能にすることは、第１のＲＡＴのセルラーマネージャ、例えばセルラーマネージャのオフロードコントローラが、効率的な、好ましい、好適な、及び／又は最適なロードバランシング判断を行って、例えば、第１のオフローディングメカニズム、例えばＷＬＡＮオフローディング、又は第２のオフローディングメカニズム、例えば第２のＲＡＴへのハンドオーバの間で選択することを可能にすることができる。
【０１６９】
いくつかの例証的実施形態において、第１のＲＡＴのセルラーマネージャは、第１のオフローディングメカニズムと第２のオフローディングメカニズムとの間で、例えば、第２のＲＡＴが如何に「積極的に」ＷＬＡＮに対してオフロードするかに基づいて、選択することができる。
【０１７０】
例えば、ｅＮＢ１０６のオフロードコントローラ１３０は、例えば、ＲＮＣ１１０からのＷＬＡＮオフロードパラメータが所定の閾値より大きいＷＬＡＮオフローディングレベルを表す場合、第１のオフローディングメカニズムを選択して、例えば、カバレッジエリア１０２内のＵＥに対して提供されるＲＡＮ支援ＷＬＡＮインターワーキングパラメータを更新することができる。
【０１７１】
他の実施形態において、第１のＲＡＴのセルラーマネージャが、第１のオフローディングメカニズムと第２のオフローディングメカニズムとの間で、第２のＲＡＴから受信されるＷＬＮＡオフロードパラメータに対して適用される任意の他の基準に基づいて、選択してもよい。例えば、第１のＲＡＴのセルラーマネージャは、１つ以上のポリシー、潜在的ターゲットＲＡＴのタイプ、オフロードされることになる１つ以上のＵＥのタイプ又はカテゴリ、１つ以上の選好されるネットワークについての定義、及び／又は任意の他の基準を考慮に入れると同時に、第１のオフローディングメカニズムと第２のオフローディングメカニズムとの間で選択することができる。
【０１７２】
図２に対して参照がなされる。図２は、いくつかの例証的実施形態に従う、ＲＡＴ通信マネージャを制御する方法を概略的に例示している。いくつかの実施形態において、図２の方法の動作のうち１つ以上が、ワイヤレス通信システム、例えばシステム１００（図１）、セルラーマネージャ、例えば、ｅＮＢ、例えばｅＮＢ１０６（図１）及び／又はｅＮＢ１０１８（図１）、ＲＮＣ、例えばＲＮＣ１１０（図１）、及び／又はオフロードコントローラ、例えばオフロードコントローラ１３０（図１）及び／又はオフロードコントローラ１６２（図１）により実行されることができる。
【０１７３】
ブロック２０２に示されるとおり、方法は、第１のセルラーネットワークの第１のセルラーマネージャにおいて、第１のセルラーネットワークに対応する１つ以上の第１のＲＡＮ支援ＷＬＡＮインターワーキングパラメータを決定することを含み得る。例えば、オフロードコントローラ１３０（図１）が、例えば上記で説明されたとおり、ｅＮＢ１０６（図１）により制御されるネットワークに対応する１つ以上の第１のＲＡＮ支援ＷＬＡＮインターワーキングパラメータを決定することができる。
【０１７４】
ブロック２０４に示されるとおり、方法は、第２のセルラーネットワークの第２のセルラーマネージャに、第１のＲＡＮ支援ＷＬＡＮインターワーキングパラメータに対応する１つ以上のＷＬＡＮオフロードパラメータを送ることを含み得る。例えば、インターフェース１３２（図１）が、例えば上記で説明されたとおり、ｅＮＢ１０８（図１）及び／又はＲＮＣ１１０（図１）に、第１のＲＡＮ支援ＷＬＡＮインターワーキングパラメータに対応する１つ以上のＷＬＡＮオフロードパラメータを送ることができる。
【０１７５】
ブロック２０６に示されるとおり、方法は、第１のＲＡＮ支援ＷＬＡＮインターワーキングパラメータを、第１のセルラーネットワークの中の少なくとも１つのＵＥに送ることを含み得る。例えば、セルラーＴＲＸ１４４（図１）が、第１のＲＡＮ支援ＷＬＡＮインターワーキングパラメータを、カバレッジエリア１０２（図１）内の１つ以上のＵＥ、
例えばＵＥ１１８（図１）に送信することができる。
【０１７６】
ブロック２０８に示されるとおり、方法は、１つ以上のＷＬＡＮオフロードパラメータを第２のセルラーマネージャにおいて受信することを含み得る。例えば上記で説明されたとおり、例えば、ＲＮＣ１１０（図１）が、ｅＮＢ１０６（図１）からＷＬＡＮオフロードパラメータを、例えばインターフェース１６０（図１）を介して受信することができ、かつ／あるいは、ｅＮＢ１０８（図１）が、ｅＮＢ１０６（図１）からＷＬＡＮオフロードパラメータを、例えば１つ以上のＸ２ＡＰシグナリングメッセージを介して受信することができる。
【０１７７】
ブロック２１０に示されるとおり、方法は、第２のセルラーマネージャにおいて、ＵＥをＷＬＡＮにオフロードする第１のオフローディングメカニズムと、少なくとも１つのＵＥを第２のセルラーネットワークから第１のセルラーネットワークにオフロードする第２のオフローディングメカニズムとから、選択されたオフローディングメカニズムを選択することを含み得る。例えば上記で説明されたとおり、例えば、ＲＮＣ１１０（図１）が、ｅＮＢ１０６（図１）から受信されるＷＬＡＮオフロードパラメータに基づいて、ＷＬＡＮオフローディングメカニズム又はハンドオーバメカニズムを使用することの間で選択することができ、かつ／あるいは、ｅＮＢ１０８（図１）が、ｅＮＢ１０６（図１）から受信されるＷＬＡＮオフロードパラメータに基づいて、ＷＬＮＡオフローディングメカニズム又はハンドオーバメカニズムを使用することの間で選択する。
【０１７８】
ブロック２１２に示されるとおり、方法は、第２のセルラーネットワークのＵＥに、選択されたオフローディングメカニズムに従ったオフローディングメッセージ、例えば、ＷＬＡＮオフローディングメカニズムに従うＲＡＮ支援ＷＬＡＮインターワーキングパラメータを含むメッセージ、又はＵＥの第１のセルラーネットワークへのハンドオーバをトリガするハンドオーバメッセージを、送ることを含み得る。１つの例において、例えば上記で説明されたとおり、ｅＮＢ１０８（図１）が、ＵＥ１１８（図１）に、ＲＡＮ支援ＷＬＡＮインターワーキングパラメータを含むメッセージを送信することができ、上記インターワーキングパラメータはｅＮＢ１０６（図１）からのＷＬＡＮオフロードパラメータに基づき、あるいは、ｅＮＢ１０８（図１）が、ＵＥ１１８（図１）に、ＵＥ１１８（図１）のｅＮＢ１０６（図１）へのハンドオーバをトリガするメッセージを送信することができる。別の例において、例えば上記で説明されたとおり、ＲＮＣ１１０（図１）が、ＵＥ１１８（図１）に、ＲＡＮ支援ＷＬＡＮインターワーキングパラメータを含むメッセージを、例えばノードＢ１１２（図１）を介して送ってもよく、上記インターワーキングパラメータはｅＮＢ１０６（図１）からのＷＬＡＮオフロードパラメータに基づき、ＲＮＣ１１０（図１）が、ＵＥ１１８（図１）に、メッセージを、例えばノードＢ１１２（図１）を介して送って、ＵＥ１１８（図１）のｅＮＢ１０６（図１）へのハンドオーバをトリガしてもよい。
【０１７９】
図３に対して参照がなされる。図３は、いくつかの例証的実施形態に従う、製造品３００を概略的に例示している。製品３００は、非一時的マシン読取可能記憶媒体３０２を含んでロジック３０４を記憶することができ、ロジック３０４は、例えば、セルラーマネージャ、例えば、ｅＮＢ、例えば、ｅＮＢ１０６（図１）及び／又はｅＮＢ１０８（図１）、ＲＮＣ、例えばＲＮＣ１１０（図１）、オフロードコントローラ、例えばオフロードコントローラ１３０（図１）及び／又はオフロードコントローラ１６２（図１）、及び／又はメッセージプロセッサ、例えばメッセージプロセッサ１４８（図１）及び／又はメッセージプロセッサ１７０（図１）の機能性の少なくとも１つを実行することに、かつ／あるいは、図２の方法のうち１つ以上の動作を実行することに使用されることができる。フレーズ「非一時的マシン読取可能媒体」はすべてのコンピュータ読取可能媒体を含むことに向けられ、唯一の例外は一時的伝搬信号である。
【０１８０】
いくつかの例証的実施形態において、製品３００及び／又はマシン読取可能記憶媒体３０２は、データを記憶する能力のある１つ以上のタイプのコンピュータ読取可能記憶媒体を含むことができ、揮発メモリ、不揮発メモリ、取外し可能又は取外し不能メモリ、消去可能又は消去不能メモリ、書込み可能又は再書き込み可能メモリなどが含まれる。例えば、マシン読取可能記憶媒体３０２は、ＲＡＭ、ＤＲＡＭ、ダブルデータレートＤＲＡＭ（ＤＤＲ−ＤＲＡＭ）、ＳＤＲＡＭ、スタティックＲＡＭ（ＳＲＡＭ）、ＲＯＭ、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、コンパクトディスクＲＯＭ（ＣＤ−ＲＯＭ）、コンパクトディスクレコーダブル（ＣＤ−Ｒ）、コンパクトディスクリライタブル（ＣＤ−ＲＷ）、
フラッシュメモリ（例えば、ＮＯＲ又はＮＡＮＤフラッシュメモリ）、コンテンツアドレス可能メモリ（ＣＡＭ）、ポリマーメモリ、相変化メモリ、強誘電体メモリ、ＳＯＮＯＳ（silicon-oxide-nitride-oxide-silicon）メモリ、ディスク、フロッピーディスク、ハードドライブ、光ディスク、磁気ディスク、カード、磁気カード、光カード、テープ、カセットなどを含むことができる。コンピュータ読取可能記憶媒体は、通信リンク、例えば、モデム、無線又はネットワーク接続を通してキャリア波又は他の伝搬媒体において具現化されたデータ信号により運ばれるコンピュータプログラムをリモートのコンピュータから要求するコンピュータにダウンロードし又は伝達することに関与する任意の適切な媒体を含むことができる。
【０１８１】
いくつかの例証的実施形態において、ロジック３０４は、命令、データ、及び／又はコードを含むことができ、ロジック３０４は、マシンにより実行される場合、マシンに、本明細書に説明されるとおりの方法、処理、及び／又は動作を実行させることができる。マシンは、例えば、任意の適切な処理プラットフォーム、コンピューティングプラットフォーム、コンピューティングデバイス、処理装置、コンピューティングシステム、処理システム、コンピュータ、プロセッサ、又は同様のものを含むことができ、ハードウェア、ソフトウェア、ファームウェアなどの任意の適切な組み合わせを用いて実装されることができる。
【０１８２】
いくつかの例証的実施形態において、ロジック３０４は、ソフトウェア、ソフトウェアモジュール、アプリケーション、プログラム、サブルーチン、命令、命令セット、コンピューティングコード、ワード、値、シンボルなどを含むことができ、あるいはこれらとして実装されることができる。命令は、任意の適切なタイプのコード、例えば、ソースコード、コンパイルされたコード、解釈された（interpreted）コード、実行可能コード、スタティックコード、ダイナミックコードなどを含むことができる。命令は、所定のコンピュータ言語、仕方、又はシンタックスに従って実装されて、ある機能を実行するようにプロセッサに指示することができる。命令は、任意の適切な高水準の、低水準の、オブジェクト指向の、ビジュアルの、コンパイルされた、及び／又は解釈されたプログラミング言語、例えば、Ｃ、Ｃ＋＋、Ｊａｖａ（登録商標）、ＢＡＳＩＣ、Ｍａｔｌａｂ（登録商標）、Ｐａｓｃａｌ、ＶｉｓｕａｌＢＡＳＩＣ（登録商標）、アセンブリ言語、マシンコードなどを用いて実装されることができる。
【０１８３】
例
下記の例がさらなる実施形態に属する。
【０１８４】
例１は、第１のセルラーネットワークを制御する第１のセルラーマネージャを含み、上記第１のセルラーマネージャは、第２のセルラーネットワークの第２のセルラーマネージャの１つ以上のワイヤレスローカルエリアネットワーク（ＷＬＡＮ）オフロードパラメータを含むメッセージを受信する第１のインターフェースと、上記第２のセルラーマネージャの上記ＷＬＡＮオフロードパラメータに基づいて、第１のオフローディングメカニズムと第２のオフローディングメカニズムとから、選択されたオフローディングメカニズムを選択するオフロードコントローラであって、上記第１のオフローディングメカニズムはユーザ機器（ＵＥ）をＷＬＡＮにオフロードし、上記第２のオフローディングメカニズムは上記ＵＥを上記第２のセルラーネットワークにオフロードする、オフロードコントローラと、上記ＵＥに、上記選択されたオフローディングメカニズムに従って、オフローディングメッセージを送る第２のインターフェースと、を含む。
【０１８５】
例２は、例１に記載の構成要件（subject  matter）を含み、場合により、上記オフロードコントローラは、上記第２のセルラーマネージャの負荷と上記第２のセルラーマネージャの上記ＷＬＡＮオフロードパラメータとに基づいて、上記第１のオフローディングメカニズムと上記第２のオフローディングメカニズムとの間で選択する。
【０１８６】
例３は、例１又は２に記載の構成要件を含み、場合により、上記第２のセルラーマネージャの上記ＷＬＡＮオフロードパラメータが所定の閾値より大きいＷＬＡＮオフローディングレベルを表す場合、上記オフロードコントローラは上記第１のオフローディングメカニズムを選択する。
【０１８７】
例４は、例１乃至３のうちいずれか１つに記載の構成要件を含み、場合により、上記選択されたオフローディングメカニズムが上記第１のオフローディングメカニズムを含むとき、上記オフローディングメッセージは無線アクセスネットワーク（ＲＡＮ）支援ＷＬＡＮインターワーキング情報を含む。
【０１８８】
例５は、例１乃至４のうちいずれか１つに記載の構成要件を含み、場合により、上記選択されたオフローディングメカニズムが上記第２のオフローディングメカニズムを含むとき、上記オフローディングメッセージは、上記ＵＥの上記第２のセルラーネットワークへのオフローディングをトリガするオフローディングトリガを含む。
【０１８９】
例６は、例１乃至５のうちいずれか１つに記載の構成要件を含み、場合により、上記第２のセルラーマネージャの上記ＷＬＡＮオフロードパラメータは、セルラーパラメータ閾値、ＷＬＡＮパラメータ閾値、及びオフロードプリファレンスインジケータ（ＯＰＩ）を含む群から選択される少なくとも１つのパラメータを含む。
【０１９０】
例１乃至６のうちいずれか１つに記載の第１のセルラーマネージャであり、場合により、上記ＷＬＡＮオフロードパラメータは、上記第２のセルラーマネージャの無線アクセスネットワーク（ＲＡＮ）支援ＷＬＡＮインターワーキングパラメータを示す。
【０１９１】
例７は、例１乃至７のうちいずれか１つに記載の構成要件を含み、発展型ノードＢ（ｅＮＢ）であり、上記第２のインターフェースは、上記オフローディング情報を上記ＵＥに送信するセルラー送受信器を含む。
【０１９２】
例８は、例８に記載の構成要件を含み、場合により、上記第２のセルラーマネージャは別のｅＮＢを含み、上記第１のインターフェースはＸ２アプリケーションプロトコル（Ｘ２ＡＰ）を含む。
【０１９３】
例９は、例８に記載の構成要件を含み、場合により、上記第２のセルラーマネージャは無線ネットワークコントローラ（ＲＮＣ）を含み、上記第１のインターフェースは、モビリティマネジメントエンティティ（ＭＭＥ）を介して上記ＲＮＣと通信するＳ１アプリケーションプロトコル（Ｓ１ＡＰ）を含む。
【０１９４】
例１０は、例１乃至７のうちいずれか１つに記載の構成要件を含み、無線ネットワークコントローラ（ＲＮＣ）であり、上記第２のセルラーマネージャは発展型ノードＢ（ｅＮＢ）を含み、上記第１のインターフェースは、コアネットワークを介して上記ｅＮＢと通信するコアネットワークインターフェースを含み、上記第２のインターフェースは、ノードＢを介して上記ＵＥと通信するノードＢインターフェースを含む。
【０１９５】
例１１は、例１乃至１１のうちいずれか１つに記載の構成要件を含み、メモリ及びプロセッサを含む。
【０１９６】
例１２は、第１のセルラーネットワークを制御する第１のセルラーマネージャを含み、上記第１のセルラーマネージャは、１つ以上の無線アクセスネットワーク（ＲＡＮ）支援ＷＬＡＮインターワーキングパラメータを決定するオフロードコントローラと、第２のセルラーネットワークの第２のセルラーマネージャに、上記ＲＡＮ支援ＷＬＡＮインターワーキングパラメータに対応する１つ以上のＷＬＡＮオフロードパラメータを送る第１のインターフェースと、上記ＲＡＮ支援ＷＬＡＮインターワーキングパラメータをユーザ機器（ＵＥ）に送る第２のインターフェースと、を含む。
【０１９７】
例１３は、例１３に記載の構成要件を含み、場合により、上記ＷＬＡＮオフロードパラメータは、セルラーパラメータ閾値、ＷＬＡＮパラメータ閾値、及びオフロードプリファレンスインジケータ（ＯＰＩ）を含む群から選択される少なくとも１つのパラメータを含む。
【０１９８】
例１４は、例１３又は１４に記載の構成要件を含み、発展型ノードＢ（ｅＮＢ）であり、上記第２のインターフェースは、上記ＲＡＮ支援ＷＬＡＮインターワーキングパラメータを上記ＵＥに送信するセルラー送受信器を含む。
【０１９９】
例１５は、例１５に記載の構成要件を含み、場合により、上記第２のセルラーマネージャは別のｅＮＢを含み、上記第１のインターフェースはＸ２アプリケーションプロトコル（Ｘ２ＡＰ）を含む。
【０２００】
例１６は、例１５に記載の構成要件を含み、場合により、上記第２のセルラーマネージャは無線ネットワークコントローラ（ＲＮＣ）を含み、上記第１のインターフェースは、モビリティマネジメントエンティティ（ＭＭＥ）を介して上記ＲＮＣと通信するＳ１アプリケーションプロトコル（Ｓ１ＡＰ）を含む。
【０２０１】
例１７は、例１３又は１４に記載の構成要件を含み、無線ネットワークコントローラ（ＲＮＣ）であり、上記第２のセルラーマネージャは発展型ノードＢ（ｅＮＢ）を含み、上記第１のインターフェースは、コアネットワークを介して上記ｅＮＢと通信するコアネットワークインターフェースを含み、上記第２のインターフェースは、ノードＢを介して上記ＵＥと通信するノードＢインターフェースを含む。
【０２０２】
例１８は、例１３乃至１８のいずれか１つに記載の構成要件を含み、メモリ及びプロセッサを含む。
【０２０３】
例１９は、第１のセルラーネットワークを制御する発展型ノードＢ（ｅＮＢ）を含み、上記ｅＮＢは、第２のセルラーネットワークのセルラーマネージャの１つ以上のワイヤレスローカルエリアネットワーク（ＷＬＡＮ）オフロードパラメータを含む少なくとも１つのメッセージを受信するセルラーネットワークインターフェースと、上記第２のセルラーマネージャの上記ＷＬＡＮオフロードパラメータに基づいてオフローディングメッセージを生成するオフロードコントローラと、上記オフローディングメッセージをユーザ機器（ＵＥ）に送信するセルラー送受信器と、を含む。
【０２０４】
例２０は、例２０に記載の構成要件を含み、場合により、上記オフロードコントローラは、上記ＷＬＡＮオフロードパラメータに基づいて、ＷＬＡＮオフロードメカニズム又はセルラーオフロードメカニズムから、選択されたオフローディングメカニズムを選択し、上記オフローディングメッセージを、上記選択されたオフローディングメカニズムに基づいて生成する。
【０２０５】
例２１は、例２０又は２１に記載の構成要件を含み、場合により、上記オフローディングメッセージは、上記１つ以上のＷＬＡＮオフロードパラメータに基づく、無線アクセスネットワーク（ＲＡＮ）支援ＷＬＡＮインターワーキング情報を含む。
【０２０６】
例２２は、例２０又は２１に記載の構成要件を含み、場合により、上記オフローディングメッセージは、１つ以上のユーザ機器（ＵＥ）の上記第２のセルラーネットワークへのオフローディングをトリガするオフローディングトリガを含む。
【０２０７】
例２３は、例２０乃至２３のうちいずれか１つに記載の構成要件を含み、場合により、上記ＷＬＡＮオフロードパラメータは、セルラーパラメータ閾値、ＷＬＡＮパラメータ閾値、及びオフロードプリファレンスインジケータ（ＯＰＩ）を含む群から選択される少なくとも１つのパラメータを含む。
【０２０８】
例２４は、例２０乃至２４のうちいずれか１つに記載の構成要件を含み、場合により、上記ＷＬＡＮオフロードパラメータは上記セルラーマネージャの無線アクセスネットワーク（ＲＡＮ）支援ＷＬＡＮインターワーキングパラメータを示す。
【０２０９】
例２５は、例２０乃至２５のうちいずれか１つに記載の構成要件を含み、場合により、上記セルラーマネージャは別のｅＮＢを含み、上記セルラーネットワークインターフェースはＸ２アプリケーションプロトコル（Ｘ２ＡＰ）を含む。
【０２１０】
例２６は、例２０乃至２５のうちいずれか１つに記載の構成要件を含み、場合により、上記セルラーマネージャは無線ネットワークコントローラ（ＲＮＣ）を含み、上記セルラーネットワークインターフェースは、モビリティマネジメントエンティティ（ＭＭＥ）を介して上記ＲＮＣと通信するＳ１アプリケーションプロトコル（Ｓ１ＡＰ）を含む。
【０２１１】
例２７は、例２０乃至２７のうちいずれか１つに記載の構成要件を含み、メモリ及びプロセッサを含む。
【０２１２】
例２８は、第１のセルラーネットワークの第１のセルラーマネージャにおいて実行される方法を含み、上記方法は、第２のセルラーネットワークの第２のセルラーマネージャの１つ以上のワイヤレスローカルエリアネットワーク（ＷＬＡＮ）オフロードパラメータを含むメッセージを受信するステップと、上記第２のセルラーマネージャの上記ＷＬＡＮオフロードパラメータに基づいて、第１のオフローディングメカニズムと第２のオフローディングメカニズムとから、選択されたオフローディングメカニズムを選択するステップであって、上記第１のオフローディングメカニズムはユーザ機器（ＵＥ）をＷＬＡＮにオフロードし、上記第２のオフローディングメカニズムは上記ＵＥを上記第２のセルラーネットワークにオフロードする、ステップと、上記ＵＥに、上記選択されたオフローディングメカニズムに従って、オフローディングメッセージを送るステップと、を含む。
【０２１３】
例２９は、例２９に記載の構成要件を含み、場合により、上記第２のセルラーマネージャの負荷と上記第２のセルラーマネージャの上記ＷＬＡＮオフロードパラメータとに基づいて、上記第１のオフローディングメカニズムと上記第２のオフローディングメカニズムとの間で選択するステップを含む。
【０２１４】
例３０は、例２９又は３０に記載の構成要件を含み、場合により、上記第２のセルラーマネージャの上記ＷＬＡＮオフロードパラメータが所定の閾値より大きいＷＬＡＮオフローディングレベルを表す場合、上記第１のオフローディングメカニズムを選択するステップ、を含む。
【０２１５】
例３１は、例２９乃至３１のうちいずれか１つに記載の構成要件を含み、場合により、上記選択されたオフローディングメカニズムが上記第１のオフローディングメカニズムを含むとき、上記オフローディングメッセージは無線アクセスネットワーク（ＲＡＮ）支援ＷＬＡＮインターワーキング情報を含む。
【０２１６】
例３２は、例２９乃至３２のうちいずれか１つに記載の構成要件を含み、場合により、上記選択されたオフローディングメカニズムが上記第２のオフローディングメカニズムを含むとき、上記オフローディングメッセージは、上記ＵＥの上記第２のセルラーネットワークへのオフローディングをトリガするオフローディングトリガを含む。
【０２１７】
例３３は、例２９乃至３３のうちいずれか１つに記載の構成要件を含み、場合により、上記第２のセルラーマネージャの上記ＷＬＡＮオフロードパラメータは、セルラーパラメータ閾値、ＷＬＡＮパラメータ閾値、及びオフロードプリファレンスインジケータ（ＯＰＩ）を含む群から選択される少なくとも１つのパラメータを含む。
【０２１８】
例３４は、例２９乃至３４のうちいずれか１つに記載の構成要件を含み、場合により、上記ＷＬＡＮオフロードパラメータは上記第２のセルラーマネージャの無線アクセスネットワーク（ＲＡＮ）支援ＷＬＡＮインターワーキングパラメータを示す。
【０２１９】
例３５は、例２９乃至３５のうちいずれか１つに記載の構成要件を含み、場合により、上記第１のセルラーマネージャは発展型ノードＢ（ｅＮＢ）である。
【０２２０】
例３６は、例３６に記載の構成要件を含み、場合により、上記第２のセルラーマネージャは別のｅＮＢを含み、上記メッセージを受信するステップは、Ｘ２アプリケーションプロトコル（Ｘ２ＡＰ）メッセージを受信することを含む。
【０２２１】
例３７は、例３６に記載の構成要件を含み、場合により、上記第２のセルラーマネージャは無線ネットワークコントローラ（ＲＮＣ）を含み、上記メッセージを受信するステップは、Ｓ１アプリケーションプロトコル（Ｓ１ＡＰ）メッセージを受信することを含む。
【０２２２】
例３８は、例２９乃至３５のうちいずれか１つに記載の構成要件を含み、場合により、上記第１のセルラーマネージャは無線ネットワークコントローラ（ＲＮＣ）であり、上記メッセージを受信するステップは、発展型ノードＢ（ｅＮＢ）から上記メッセージを受信することを含む。
【０２２３】
例３９は、第１のセルラーネットワークの第１のセルラーマネージャにおいて実行される方法を含み、上記方法は、１つ以上の無線アクセスネットワーク（ＲＡＮ）支援ＷＬＡＮインターワーキングパラメータを決定するステップと、第２のセルラーネットワークの第２のセルラーマネージャに、上記ＲＡＮ支援ＷＬＡＮインターワーキングパラメータに対応する１つ以上のＷＬＡＮオフロードパラメータを送るステップと、上記ＲＡＮ支援ＷＬＡＮインターワーキングパラメータをユーザ機器（ＵＥ）に送るステップと、を含む。
【０２２４】
例４０は、例４０に記載の構成要件を含み、場合により、上記ＷＬＡＮオフロードパラメータは、セルラーパラメータ閾値、ＷＬＡＮパラメータ閾値、及びオフロードプリファレンスインジケータ（ＯＰＩ）を含む群から選択される少なくとも１つのパラメータを含む。
【０２２５】
例４１は、例４０又は４１に記載の構成要件を含み、場合により、上記第１のセルラーマネージャは発展型ノードＢ（ｅＮＢ）である。
【０２２６】
例４２は、例４２に記載の構成要件を含み、場合により、上記第２のセルラーマネージャは別のｅＮＢを含み、上記ＷＬＡＮオフロードパラメータを送るステップは、上記ＷＬＡＮオフロードパラメータを含むＸ２アプリケーションプロトコル（Ｘ２ＡＰ）メッセージを送ることを含む。
【０２２７】
例４３は、例４２に記載の構成要件を含み、場合により、上記第２のセルラーマネージャは無線ネットワークコントローラ（ＲＮＣ）を含み、上記ＷＬＡＮオフロードパラメータを送るステップは、Ｓ１アプリケーションプロトコル（Ｓ１ＡＰ）メッセージを送ることを含む。
【０２２８】
例４４は、例４０又は４１に記載の構成要件を含み、場合により、上記第１のセルラーマネージャは無線ネットワークコントローラ（ＲＮＣ）であり、上記第２のセルラーマネージャは発展型ノードＢ（ｅＮＢ）である。
【０２２９】
例４５は、第１のセルラーネットワークを制御する発展型ノードＢ（ｅＮＢ）において実行される方法を含み、上記方法は、第２のセルラーネットワークのセルラーマネージャの１つ以上のワイヤレスローカルエリアネットワーク（ＷＬＡＮ）オフロードパラメータを含む少なくとも１つのメッセージを受信するステップと、上記第２のセルラーマネージャの上記ＷＬＡＮオフロードパラメータに基づいてオフローディングメッセージを生成するステップと、上記オフローディングメッセージをユーザ機器（ＵＥ）に送信するステップと、を含む。
【０２３０】
例４６は、例４６に記載の構成要件を含み、場合により、上記ＷＬＡＮオフロードパラメータに基づいて、ＷＬＡＮオフロードメカニズム又はセルラーオフロードメカニズムから、選択されたオフローディングメカニズムを選択するステップと、上記オフローディングメッセージを、上記選択されたオフローディングメカニズムに基づいて生成するステップと、を含む。
【０２３１】
例４７は、例４６又は４７に記載の構成要件を含み、場合により、上記オフローディングメッセージは、上記１つ以上のＷＬＡＮオフロードパラメータに基づく、無線アクセスネットワーク（ＲＡＮ）支援ＷＬＡＮインターワーキング情報を含む。
【０２３２】
例４８は、例４６又は４７に記載の構成要件を含み、場合により、上記オフローディングメッセージは、１つ以上のユーザ機器（ＵＥ）の上記第２のセルラーネットワークへのオフローディングをトリガするオフローディングトリガを含む。
【０２３３】
例４９は、例４６乃至４９のうちいずれか１つに記載の構成要件を含み、場合により、上記ＷＬＡＮオフロードパラメータは、セルラーパラメータ閾値、ＷＬＡＮパラメータ閾値、及びオフロードプリファレンスインジケータ（ＯＰＩ）を含む群から選択される少なくとも１つのパラメータを含む。
【０２３４】
例５０は、例４６乃至５０のうちいずれか１つに記載の構成要件を含み、場合により、上記ＷＬＡＮオフロードパラメータは、上記セルラーマネージャの無線アクセスネットワーク（ＲＡＮ）支援ＷＬＡＮインターワーキングパラメータを示す。
【０２３５】
例５１は、例４６乃至５１のうちいずれか１つに記載の構成要件を含み、場合により、上記セルラーマネージャは別のｅＮＢを含み、上記少なくとも１つのメッセージを受信するステップは、Ｘ２アプリケーションプロトコル（Ｘ２ＡＰ）メッセージを受信することを含む。
【０２３６】
例５２は、例４６乃至５１のうちいずれか１つに記載の構成要件を含み、場合により、上記セルラーマネージャは無線ネットワークコントローラ（ＲＮＣ）を含み、上記少なくとも１つのメッセージを受信するステップは、Ｓ１アプリケーションプロトコル（Ｓ１ＡＰ）メッセージを受信することを含む。
【０２３７】
例５３は、少なくとも１つのコンピュータプロセッサにより実行されるときに、上記少なくとも１つのコンピュータプロセッサが第１のセルラーネットワークの第１のセルラーマネージャにおいて方法を実施することを可能にするように動作可能なコンピュータ実行可能命令を含む１つ以上の有形コンピュータ読取可能非一時的記憶媒体を含む製品を含み、上記方法は、第２のセルラーネットワークの第２のセルラーマネージャの１つ以上のワイヤレスローカルエリアネットワーク（ＷＬＡＮ）オフロードパラメータを含むメッセージを受信するステップと、上記第２のセルラーマネージャの上記ＷＬＡＮオフロードパラメータに基づいて、第１のオフローディングメカニズムと第２のオフローディングメカニズムとから、選択されたオフローディングメカニズムを選択するステップであって、上記第１のオフローディングメカニズムはユーザ機器（ＵＥ）をＷＬＡＮにオフロードし、上記第２のオフローディングメカニズムは上記ＵＥを上記第２のセルラーネットワークにオフロードする、ステップと、上記ＵＥに、上記選択されたオフローディングメカニズムに従って、オフローディングメッセージを送るステップと、を含む。
【０２３８】
例５４は、例５４に記載の構成要件を含み、場合により、上記方法は、上記第２のセルラーマネージャの負荷と上記第２のセルラーマネージャの上記ＷＬＡＮオフロードパラメータとに基づいて、上記第１のオフローディングメカニズムと上記第２のオフローディングメカニズムとの間で選択するステップを含む。
【０２３９】
例５５は、例５４又は５５に記載の構成要件を含み、場合により、上記方法は、上記第２のセルラーマネージャの上記ＷＬＡＮオフロードパラメータが所定の閾値より大きいＷＬＡＮオフローディングレベルを表す場合、上記オフロードコントローラは上記第１のオフローディングメカニズムを選択するステップ、を含む。
【０２４０】
例５６は、例５４乃至５６のうちいずれか１つに記載の構成要件を含み、場合により、上記選択されたオフローディングメカニズムが上記第１のオフローディングメカニズムを含むとき、上記オフローディングメッセージは無線アクセスネットワーク（ＲＡＮ）支援ＷＬＡＮインターワーキング情報を含む。
【０２４１】
例５７は、例５４乃至５７のうちいずれか１つに記載の構成要件を含み、場合により、上記選択されたオフローディングメカニズムが上記第２のオフローディングメカニズムを含むとき、上記オフローディングメッセージは、上記ＵＥの上記第２のセルラーネットワークへのオフローディングをトリガするオフローディングトリガを含む。
【０２４２】
例５８は、例５４乃至５８のうちいずれか１つに記載の構成要件を含み、場合により、上記第２のセルラーマネージャの上記ＷＬＡＮオフロードパラメータは、セルラーパラメータ閾値、ＷＬＡＮパラメータ閾値、及びオフロードプリファレンスインジケータ（ＯＰＩ）を含む群から選択される少なくとも１つのパラメータを含む。
【０２４３】
例５９は、例５４乃至５９のうちいずれか１つに記載の構成要件を含み、場合により、上記ＷＬＡＮオフロードパラメータは、上記第２のセルラーマネージャの無線アクセスネットワーク（ＲＡＮ）支援ＷＬＡＮインターワーキングパラメータを示す。
【０２４４】
例６０は、例５４乃至６０のうちいずれか１つに記載の構成要件を含み、場合により、上記第１のセルラーマネージャは発展型ノードＢ（ｅＮＢ）である。
【０２４５】
例６１は、例６１に記載の構成要件を含み、場合により、上記第２のセルラーマネージャは別のｅＮＢを含み、上記メッセージを受信するステップは、Ｘ２アプリケーションプロトコル（Ｘ２ＡＰ）メッセージを受信することを含む。
【０２４６】
例６２は、例６１に記載の構成要件を含み、場合により、上記第２のセルラーマネージャは無線ネットワークコントローラ（ＲＮＣ）を含み、上記メッセージを受信するステップは、Ｓ１アプリケーションプロトコル（Ｓ１ＡＰ）メッセージを受信することを含む。
【０２４７】
例６３は、例５４乃至６０のうちいずれか１つに記載の構成要件を含み、場合により、上記第１のセルラーマネージャは無線ネットワークコントローラ（ＲＮＣ）であり、上記メッセージを受信するステップは、発展型ノードＢ（ｅＮＢ）から上記メッセージを受信することを含む。
【０２４８】
例６４は、少なくとも１つのコンピュータプロセッサにより実行されるときに、上記少なくとも１つのコンピュータプロセッサが第１のセルラーネットワークの第１のセルラーマネージャにおいて方法を実施することを可能にするように動作可能なコンピュータ実行可能命令を含む１つ以上の有形コンピュータ読取可能非一時的記憶媒体を含む製品を含み、上記方法は、１つ以上の無線アクセスネットワーク（ＲＡＮ）支援ＷＬＡＮインターワーキングパラメータを決定するステップと、第２のセルラーネットワークの第２のセルラーマネージャに、上記ＲＡＮ支援ＷＬＡＮインターワーキングパラメータに対応する１つ以上のＷＬＡＮオフロードパラメータを送るステップと、上記ＲＡＮ支援ＷＬＡＮインターワーキングパラメータをユーザ機器（ＵＥ）に送るステップと、を含む。
【０２４９】
例６５は、例６５に記載の構成要件を含み、場合により、上記ＷＬＡＮオフロードパラメータは、セルラーパラメータ閾値、ＷＬＡＮパラメータ閾値、及びオフロードプリファレンスインジケータ（ＯＰＩ）を含む群から選択される少なくとも１つのパラメータを含む。
【０２５０】
例６６は、例６５又は６６に記載の構成要件を含み、場合により、上記第１のセルラーマネージャは発展型ノードＢ（ｅＮＢ）である。
【０２５１】
例６７は、例６７に記載の構成要件を含み、場合により、上記第２のセルラーマネージャは別のｅＮＢを含み、上記ＷＬＡＮオフロードパラメータを送るステップは、上記ＷＬＡＮオフロードパラメータを含むＸ２アプリケーションプロトコル（Ｘ２ＡＰ）メッセージを送ることを含む。
【０２５２】
例６８は、例６７に記載の構成要件を含み、場合により、上記第２のセルラーマネージャは無線ネットワークコントローラ（ＲＮＣ）を含み、上記ＷＬＡＮオフロードパラメータを送るステップは、Ｓ１アプリケーションプロトコル（Ｓ１ＡＰ）メッセージを送ることを含む。
【０２５３】
例６９は、例６５又は６６に記載の構成要件を含み、場合により、上記第１のセルラーマネージャは無線ネットワークコントローラ（ＲＮＣ）であり、上記第２のセルラーマネージャは発展型ノードＢ（ｅＮＢ）である。
【０２５４】
例７０は、少なくとも１つのコンピュータプロセッサにより実行されるときに、上記少なくとも１つのコンピュータプロセッサが、第１のセルラーネットワークを制御する発展型ノードＢ（ｅＮＢ）の方法を実施することを可能にするように動作可能なコンピュータ実行可能命令を含む１つ以上の有形コンピュータ読取可能非一時的記憶媒体を含む製品を含み、上記方法は、第２のセルラーネットワークのセルラーマネージャの１つ以上のワイヤレスローカルエリアネットワーク（ＷＬＡＮ）オフロードパラメータを含む少なくとも１つのメッセージを受信するステップと、上記第２のセルラーマネージャの上記ＷＬＡＮオフロードパラメータに基づいてオフローディングメッセージを生成するステップと、上記オフローディングメッセージをユーザ機器（ＵＥ）に送信するステップと、を含む。
【０２５５】
例７１は、例７１に記載の構成要件を含み、場合により、上記方法は、上記ＷＬＡＮオフロードパラメータに基づいて、ＷＬＡＮオフロードメカニズム又はセルラーオフロードメカニズムから、選択されたオフローディングメカニズムを選択するステップと、上記オフローディングメッセージを、上記選択されたオフローディングメカニズムに基づいて生成するステップと、を含む。
【０２５６】
例７２は、例７１又は７２に記載の構成要件を含み、場合により、上記オフローディングメッセージは、上記１つ以上のＷＬＡＮオフロードパラメータに基づく、無線アクセスネットワーク（ＲＡＮ）支援ＷＬＡＮインターワーキング情報を含む。
【０２５７】
例７３は、例７１又は７２に記載の構成要件を含み、場合により、上記オフローディングメッセージは、１つ以上のユーザ機器（ＵＥ）の上記第２のセルラーネットワークへのオフローディングをトリガするオフローディングトリガを含む。
【０２５８】
例７４は、例７１乃至７４のうちいずれか１つに記載の構成要件を含み、場合により、上記ＷＬＡＮオフロードパラメータは、セルラーパラメータ閾値、ＷＬＡＮパラメータ閾値、及びオフロードプリファレンスインジケータ（ＯＰＩ）を含む群から選択される少なくとも１つのパラメータを含む。
【０２５９】
例７５は、例７１乃至７５のうちいずれか１つに記載の構成要件を含み、場合により、上記ＷＬＡＮオフロードパラメータは、上記セルラーマネージャの無線アクセスネットワーク（ＲＡＮ）支援ＷＬＡＮインターワーキングパラメータを示す。
【０２６０】
例７６は、例７１乃至７６のうちいずれか１つに記載の構成要件を含み、場合により、上記セルラーマネージャは別のｅＮＢを含み、上記少なくとも１つのメッセージを受信するステップは、Ｘ２アプリケーションプロトコル（Ｘ２ＡＰ）メッセージを受信することを含む。
【０２６１】
例７７は、例７１乃至７６のうちいずれか１つに記載の構成要件を含み、場合により、上記セルラーマネージャは無線ネットワークコントローラ（ＲＮＣ）を含み、上記少なくとも１つのメッセージを受信するステップは、Ｓ１アプリケーションプロトコル（Ｓ１ＡＰ）メッセージを受信することを含む。
【０２６２】
例７８は、セルラー通信の装置（apparatus）を含み、上記装置は、第１のセルラーネットワークの第１のセルラーマネージャにおいて、第２のセルラーネットワークの第２のセルラーマネージャの１つ以上のワイヤレスローカルエリアネットワーク（ＷＬＡＮ）オフロードパラメータを含むメッセージを受信する手段と、上記第２のセルラーマネージャの上記ＷＬＡＮオフロードパラメータに基づいて、第１のオフローディングメカニズムと第２のオフローディングメカニズムとから、選択されたオフローディングメカニズムを選択する手段であって、上記第１のオフローディングメカニズムはユーザ機器（ＵＥ）をＷＬＡＮにオフロードし、上記第２のオフローディングメカニズムは上記ＵＥを上記第２のセルラーネットワークにオフロードする、手段と、上記ＵＥに、上記選択されたオフローディングメカニズムに従って、オフローディングメッセージを送る手段と、を含む。
【０２６３】
例７９は、例７９に記載の構成要件を含み、場合により、上記第２のセルラーマネージャの負荷と上記第２のセルラーマネージャの上記ＷＬＡＮオフロードパラメータとに基づいて、上記第１のオフローディングメカニズムと上記第２のオフローディングメカニズムとの間で選択する手段、を含む。
【０２６４】
例８０は、例７９又は８０に記載の構成要件を含み、場合により、上記第２のセルラーマネージャの上記ＷＬＡＮオフロードパラメータが所定の閾値より大きいＷＬＡＮオフローディングレベルを表す場合、上記第１のオフローディングメカニズムを選択する手段、を含む。
【０２６５】
例８１は、例７９乃至８１のうちいずれか１つに記載の構成要件を含み、場合により、上記選択されたオフローディングメカニズムが上記第１のオフローディングメカニズムを含むとき、上記オフローディングメッセージは無線アクセスネットワーク（ＲＡＮ）支援ＷＬＡＮインターワーキング情報を含む。
【０２６６】
例８２は、例７９乃至８２のうちいずれか１つに記載の構成要件を含み、場合により、上記選択されたオフローディングメカニズムが上記第２のオフローディングメカニズムを含むとき、上記オフローディングメッセージは、上記ＵＥの上記第２のセルラーネットワークへのオフローディングをトリガするオフローディングトリガを含む。
【０２６７】
例８３は、例７９乃至８３のうちいずれか１つに記載の構成要件を含み、場合により、上記第２のセルラーマネージャの上記ＷＬＡＮオフロードパラメータは、セルラーパラメータ閾値、ＷＬＡＮパラメータ閾値、及びオフロードプリファレンスインジケータ（ＯＰＩ）を含む群から選択される少なくとも１つのパラメータを含む。
【０２６８】
例８４は、例７９乃至８４のうちいずれか１つに記載の構成要件を含み、場合により、上記ＷＬＡＮオフロードパラメータは、上記第２のセルラーマネージャの無線アクセスネットワーク（ＲＡＮ）支援ＷＬＡＮインターワーキングパラメータを示す。
【０２６９】
例８５は、例７９乃至８５のうちいずれか１つに記載の構成要件を含み、場合により、上記第１のセルラーマネージャは発展型ノードＢ（ｅＮＢ）である。
【０２７０】
例８６は、例８６に記載の構成要件を含み、場合により、上記第２のセルラーマネージャは別のｅＮＢを含み、上記メッセージを受信するステップは、Ｘ２アプリケーションプロトコル（Ｘ２ＡＰ）メッセージを受信することを含む。
【０２７１】
例８７は、例８６に記載の構成要件を含み、場合により、上記第２のセルラーマネージャは無線ネットワークコントローラ（ＲＮＣ）を含み、上記メッセージを受信するステップは、Ｓ１アプリケーションプロトコル（Ｓ１ＡＰ）メッセージを受信することを含む。
【０２７２】
例８８は、例７９乃至８５のうちいずれか１つに記載の構成要件を含み、場合により、上記第１のセルラーマネージャは無線ネットワークコントローラ（ＲＮＣ）であり、上記メッセージを受信することは、発展型ノードＢ（ｅＮＢ）から上記メッセージを受信することを含む。
【０２７３】
例８９は、セルラー通信の装置（apparatus）を含み、上記装置は、第１のセルラーネットワークの第１のセルラーマネージャにおいて、１つ以上の無線アクセスネットワーク（ＲＡＮ）支援ＷＬＡＮインターワーキングパラメータを決定する手段と、第２のセルラーネットワークの第２のセルラーマネージャに、上記ＲＡＮ支援ＷＬＡＮインターワーキングパラメータに対応する１つ以上のＷＬＡＮオフロードパラメータを送る手段と、上記ＲＡＮ支援ＷＬＡＮインターワーキングパラメータをユーザ機器（ＵＥ）に送る手段と、を含む。
【０２７４】
例９０は、例９０に記載の構成要件を含み、場合により、上記ＷＬＡＮオフロードパラメータは、セルラーパラメータ閾値、ＷＬＡＮパラメータ閾値、及びオフロードプリファレンスインジケータ（ＯＰＩ）を含む群から選択される少なくとも１つのパラメータを含む。
【０２７５】
例９１は、例９０又は９１に記載の構成要件を含み、場合により、上記第１のセルラーマネージャは発展型ノードＢ（ｅＮＢ）である。
【０２７６】
例９２は、例９２に記載の構成要件を含み、場合により、上記第２のセルラーマネージャは別のｅＮＢを含み、上記ＷＬＡＮオフロードパラメータを送ることは、上記ＷＬＡＮオフロードパラメータを含むＸ２アプリケーションプロトコル（Ｘ２ＡＰ）メッセージを送ることを含む。
【０２７７】
例９３は、例９２に記載の構成要件を含み、場合により、上記第２のセルラーマネージャは無線ネットワークコントローラ（ＲＮＣ）を含み、上記ＷＬＡＮオフロードパラメータを送るステップは、Ｓ１アプリケーションプロトコル（Ｓ１ＡＰ）メッセージを送ることを含む。
【０２７８】
例９４は、例９０又は９１に記載の構成要件を含み、場合により、上記第１のセルラーマネージャは無線ネットワークコントローラ（ＲＮＣ）であり、上記第２のセルラーマネージャは発展型ノードＢ（ｅＮＢ）である。
【０２７９】
例９５は、セルラー通信の装置（apparatus）を含み、上記装置は、第１のセルラーネットワークを制御する発展型ノードＢ（ｅＮＢ）において、第２のセルラーネットワークのセルラーマネージャの１つ以上のワイヤレスローカルエリアネットワーク（ＷＬＡＮ）オフロードパラメータを含む少なくとも１つのメッセージを受信する手段と、上記第２のセルラーマネージャの上記ＷＬＡＮオフロードパラメータに基づいてオフローディングメッセージを生成する手段と、上記オフローディングメッセージをユーザ機器（ＵＥ）に送信する手段と、を含む。
【０２８０】
例９６は、例９６に記載の構成要件を含み、場合により、上記ＷＬＡＮオフロードパラメータに基づいて、ＷＬＡＮオフロードメカニズム又はセルラーオフロードメカニズムから、選択されたオフローディングメカニズムを選択する手段と、上記オフローディングメッセージを、上記選択されたオフローディングメカニズムに基づいて生成する手段と、を含む。
【０２８１】
例９７は、例９６又は９７に記載の構成要件を含み、場合により、上記オフローディングメッセージは、上記１つ以上のＷＬＡＮオフロードパラメータに基づく、無線アクセスネットワーク（ＲＡＮ）支援ＷＬＡＮインターワーキング情報を含む。
【０２８２】
例９８は、例９６又は９７に記載の構成要件を含み、場合により、上記オフローディングメッセージは、１つ以上のユーザ機器（ＵＥ）の上記第２のセルラーネットワークへのオフローディングをトリガするオフローディングトリガを含む。
【０２８３】
例９９は、例９６乃至９９のうちいずれか１つに記載の構成要件を含み、場合により、上記ＷＬＡＮオフロードパラメータは、セルラーパラメータ閾値、ＷＬＡＮパラメータ閾値、及びオフロードプリファレンスインジケータ（ＯＰＩ）を含む群から選択される少なくとも１つのパラメータを含む。
【０２８４】
例１００は、例９６乃至１００のうちいずれか１つに記載の構成要件を含み、場合により、上記ＷＬＡＮオフロードパラメータは、上記セルラーマネージャの無線アクセスネットワーク（ＲＡＮ）支援ＷＬＡＮインターワーキングパラメータを示す。
【０２８５】
例１０１は、例９６乃至１０１のうちいずれか１つに記載の構成要件を含み、場合により、上記セルラーマネージャは別のｅＮＢを含み、上記少なくとも１つのメッセージを受信することは、Ｘ２アプリケーションプロトコル（Ｘ２ＡＰ）メッセージを受信することを含む。
【０２８６】
例１０２は、例９６乃至１０１のうちいずれか１つに記載の構成要件を含み、場合により、上記セルラーマネージャは無線ネットワークコントローラ（ＲＮＣ）を含み、上記少なくとも１つのメッセージを受信することは、Ｓ１アプリケーションプロトコル（Ｓ１ＡＰ）メッセージを受信することを含む。
【０２８７】
本明細書において１つ以上の実施形態を参照して説明される機能、動作、コンポーネント、及び／又は特徴は、本明細書において１つ以上の他の実施形態を参照して説明される１つ以上の他の機能、動作、コンポーネント、及び／又は特徴と組み合わせられてもよく、あるいは該１つ以上の他の機能、動作、コンポーネント、及び／又は特徴との組み合わせにおいて利用されてもよく、逆もまた同様である。
【０２８８】
特定の特徴が本明細書において例示され、説明されたが、多くの修正、代替、変更、及び均等物に当業者が気付く可能性がある。ゆえに、別記の請求項は、本開示の真の主旨の範囲内に入る限り、すべてのこうした修正及び変更をカバーするものであることが理解されるべきである。
【図１】
0006370923.tif 000004
【図２】
0006370923.tif 000005
【図３】
0006370923.tif 000006